(57)【要約】  本開示は、貨物を輸送するための自律走行車（ＡＤＶ）の盗難防止の様々な技術を述べた。一つの実施形態において、盗難感知モジュールによってＡＤＶの所定アクセス範囲内にある人を示す移動オブジェクトのセンサーデータを捕捉しリアルタイム分析に適用して、一組の既知の移動行動に従って、センサーデータに基づいて移動オブジェクトの移動行動を確定する。盗難感知モジュールは、また、履歴イメージセットに由来のプロセスを使用して、人の意図がＡＤＶから貨物の少なくとも一部を移していこうとするか否かを確定し、人のこのような意図を確定したことに応答して、所定目的地に警報を送信する。例えば、ＡＤＶのリアルタイム動きと重量の他のセンサーデータは、履歴イメージセットに由来のプロセスと組み合わせて使用して、人の意図を確定することができる。【選択図】図５
2021530039.tif 000002
【特許請求の範囲】
【請求項１】
自律走行車の盗難防止のためのコンピュータ実装方法であって、
盗難感知モジュールによって複数のセンサーから移動オブジェクトのセンサーデータを受信するステップであって、前記移動オブジェクトは貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを決定したことに応答して、所定目的地に警報を送信するステップと、を含む、前記コンピュータ実装方法。
【請求項２】
前記一組の既知の移動行動は、データベースに記憶された複数のイメージセットによって表示され、それぞれのイメージセットは、人によって実行される既知の行動である
請求項１に記載のコンピュータ実装方法。
【請求項３】
前記移動オブジェクトの前記移動行動は、前記センサーデータのイメージセットと前記データベースに記憶された前記複数のイメージセットのいずれかとのマッチングに基づいて決定される
請求項２に記載のコンピュータ実装方法。
【請求項４】
前記人の意図は、トレーニング履歴イメージセットに由来のプロセスに基づいて決定され、
前記履歴イメージセットは、窃盗行動を示すイメージセットと非窃盗行動を示すイメージセットに分類される
請求項１に記載のコンピュータ実装方法。
【請求項５】
前記人の意図は、複数の他の識別子における一つまたは複数の識別子に基づいて決定され、
前記複数の他の識別子は、前記人がブラックリストに含まれていることと、前記自律走行車の重量損失が所定の閾値を超えていることと、前記自律走行車の不規則動きは前記自律走行車が持ち去られる可能性があることを示すことと、を含む
請求項４に記載のコンピュータ実装方法。
【請求項６】
前記自律走行車の重量損失は、前記自律走行車に設けられた重量計によって生成された前記自律走行車のリアルタイムの重量に基づいて決定される
請求項５に記載のコンピュータ実装方法。
【請求項７】
前記自律走行車の不規則動きは、前記自律走行車に設けられた動きセンサーによって生成された前記自律走行車のリアルタイムの動きに基づいて決定される
請求項５に記載のコンピュータ実装方法。
【請求項８】
前記ブラックリストは前記データベースに記憶された複数の車両盗難記録を含み、それぞれの記録は窃盗を実行した人の顔イメージを含む
請求項５に記載のコンピュータ実装方法。
【請求項９】
前記盗難感知モジュールは、前記センサーデータを前記データベースに記憶するように構成されるセンサーデータロガーモジュールを含み、
前記センサーデータは機械学習エンジンに送信され、前記機械学習エンジンは前記センサーデータを使用して、前記人の意図が前記自律走行車から貨物の少なくとも一部を持ち去ろうとするか否かを決定するためのプロセスを最適化する
請求項１に記載のコンピュータ実装方法。
【請求項１０】
指令が記憶されている非一時的機械可読媒体であって、
前記指令がプロセッサによって実行されると、前記プロセッサが自律走行車に対して盗難防止のための動作を実行し、前記動作は、
盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを確定したことに応答して、所定目的地に警報を送信するステップと、
を含む、前記非一時的機械可読媒体。
【請求項１１】
前記一組の既知の移動行動は、データベースに記憶された複数のイメージセットによって表示され、それぞれのイメージセットは人によって実行される既知の行動を表示する
請求項１０に記載の非一時的機械可読媒体。
【請求項１２】
前記移動オブジェクトの前記移動行動は、前記センサーデータのイメージセットと前記データベースに記憶された前記複数のイメージセットのいずれかとの間のマッチングに基づいて決定される
請求項１１に記載の非一時的機械可読媒体。
【請求項１３】
前記人の意図は、トレーニング履歴イメージセットに由来のプロセスに基づいて決定され、
前記履歴イメージセットは、窃盗行動を表すイメージセットと非窃盗行動を表すイメージセットに分類されている
請求項１０に記載の非一時的機械可読媒体。
【請求項１４】
前記人の意図は、複数の他の識別子における一つまたは複数の識別子に基づいて決定され、
前記複数の他の識別子は、前記人がブラックリストに含まれていることと、前記自律走行車の重量損失が所定の閾値を超えることと、前記自律走行車の不規則動きは前記自律走行車が持ち去られる可能性があることを示すことと、を含む
請求項１３に記載の非一時的機械可読媒体。
【請求項１５】
前記自律走行車の重量損失は、前記自律走行車に設けられた重量計によって生成された前記自律走行車のリアルタイムの重量に基づいて決定される
請求項１４に記載の非一時的機械可読媒体。
【請求項１６】
前記自律走行車の不規則動きは、前記自律走行車に設置された動きセンサーによって生成された前記自律走行車のリアルタイムの動きに基づいて決定される
請求項１４に記載の非一時的機械可読媒体。
【請求項１７】
前記ブラックリストは、前記データベースに記憶された複数の車両盗難記録を表示し、それぞれの記録は窃盗を実行した人の顔イメージを含む
請求項１４に記載の非一時的機械可読媒体。
【請求項１８】
前記盗難感知モジュールは、前記センサーデータを前記データベースに記憶するように構成されるセンサーデータロガーモジュールを含み、
前記センサーデータは、機械学習エンジンに送信され、前記機械学習エンジンは、前記センサーデータを使用し、前記人の意図が前記自律走行車から貨物の少なくとも一部を持ち去ろうとするか否かを決定するためのプロセスを最適化する
請求項１０に記載の非一時的機械可読媒体。
【請求項１９】
自律走行車の盗難防止システムであって、
プロセッサと、前記プロセッサに接続されて指令を記憶するためのメモリとを含み、
前記指令が前記プロセッサによって実行される場合、前記プロセッサに動作を実行させ、前記動作は、
盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを決定したことに応答して、所定目的地に警報を送信するステップと、を含む、システム。
【請求項２０】
前記一組の既知の移動行動は、データベースに記憶された複数のイメージセットによって表示され、それぞれのイメージセットは人によって実行される既知の行動を表示する
請求項１９に記載のシステム。
【発明の詳細な説明】
【技術分野】
【０００１】
本開示の実施形態は、全体的に自律走行車に関する。より具体的に、本開示の実施形態は、貨物を輸送するための自律走行車の盗難防止技術に関する。
【背景技術】
【０００２】
自律走行モードで運行（例えば、無人自動運転）する車両は、乗客、特に、運転者をいくつかの運転関連の責任から解放させることができる。自律走行モードで運行される時、車両は、車両搭載センサーを使用して、各位置までナビゲーションすることにより、車両が最小限の人間-機械のインタラクションの場合、または乗客がいないいくつかの状況で走行することが可能になる。
【０００３】
自律走行モードで運行される車両（または、自律走行車（ＡＤＶ））は、貨物輸送に使用することができる。例えば、生活用品を各家庭に配送することができる。この目的のためのＡＤＶは、通常サイズが小さく、これら車両が都市と近郊の街を通り抜ける時に無人自動運転になる傾向がある。
【０００４】
そのため、貨物を輸送するためのＡＤＶは盗まれやすい。例えば、予期しない者が貨物をＡＤＶから持ち去る可能性があり、ひいてはＡＤＶまでも持っていってしまう可能性がある。
【発明の開示】
【発明が解決しようとする課題】
【０００５】
しかし、これらのＡＤＶに近付く者、その近くを移動する人のすべてが窃盗をするとは限らない。ＡＤＶの近くに現れた人は、人間障害物であるにすぎない可能性がある。人の行動に基づいて、状況を区別することなく警報を送信してしまうと、周辺の環境を干渉してしまう可能性があり、また、警報の対応を担当する人に不必要な負担をかけてしまうことになる。そのため、窃盗行動を効果的に検出できる技術が必要になる。
【課題を解決するための手段】
【０００６】
第１の態様において、本開示は、自律走行車の盗難防止のためのコンピュータ実装方法（computer-implemented method）を提供する。前記方法は、盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと前記自律走行車のリアルタイムの重量及び動きとを含む、ステップと、一組の既知の移動行動に従って、前記センサーデータに基づいて前記移動オブジェクトの移動行動を決定するステップと、前記移動行動に基づいて、前記人の意図が前記自律走行車から前記貨物のうちの少なくとも一部を持ち去ろうとするか否かを決定するステップと、前記人の意図が前記自律走行車から前記貨物のうちの少なくとも一部を持ち去ろうとするものであると決定したことに応答して、所定の目的地に警報を送信するステップと、を含む。
【０００７】
第２の態様において、本開示は、指令が記憶されている非一時的機械可読媒体を提供し、前記指令がプロセッサによって実行されると、プロセッサが上記第１の態様における方法を実行する。
【０００８】
第３の態様において、本開示は、システムを提供し、前記システムは、プロセッサと、プロセッサに接続されて指令を記憶するためのメモリとを含み、前記指令がプロセッサによって実行されると、プロセッサが上記第１の態様における方法を実行する。
【図面の簡単な説明】
【０００９】
本開示に係る実施形態は、添付図面の各図によって非制限的に例示され、図面の同じ参照記号は同様の素子を示す。
【図１】いくつかの実施形態に係るネットワークシステムのブロック図である。
【図２】いくつかの実施形態に係る自律走行車の例示的なブロック図である。
【図３Ａ】いくつかの実施形態に係る自律走行車とともに使用されるセンシングと計画システムの例示的なブロック図である。
【図３Ｂ】いくつかの実施形態に係る自律走行車とともに使用されるセンシングと計画システムの例示的なブロック図である。
【図４】一の実施形態に係る貨物を輸送するためのＡＤＶ中の例示的な盗難防止システムを示す。
【図５】一の実施形態に係る貨物を輸送するためのＡＤＶに盗難防止を行う例示的なプロセスを示す。
【図６】いくつかの実施形態に係るデータ処理システムを示すブロック図である。
【発明を実施するための形態】
【００１０】
以下で議論される詳細な説明を参照し、本開示の様々な実施形態及び態様を説明し、図面は上記様々な実施形態を示す。以下の説明と図面は、本開示についての説明であり、本開示を限定するものと解釈されるべきでない。本開示の様々な実施形態に対する全面的な理解を提供するために、多くの特定の詳細事項を説明する。しかし、いくつかの場合、本開示の実施形態に対する簡単な議論を提供するために公知のもの、または通常の詳細事項の説明は省略する。
【００１１】
本明細書で「一つの実施形態」または「実施形態」に対する言及は、上記実施形態と組み合わせて説明された特定の特徴、構造または特性は、本開示の少なくとも一つの実施形態に含まれることを意味する。本明細書の各部分に表示されるフレーズ「一つの実施形態において」は、すべて同じ実施形態を指すわけではない。
【００１２】
各実施形態に基づいて、本明細書において、自律走行車（ＡＤＶ）のための、具体的に貨物を輸送するためのＡＤＶの盗難防止システムと方法を述べる。
【００１３】
一つの実施形態において、盗難防止システムは各種センサーと盗難感知モジュールとを含む。盗難感知モジュールは、センサーから移動オブジェクトのセンサーデータを受信し、前記移動オブジェクトはＡＤＶの所定のアクセス範囲内にある人を表す。盗難感知モジュールは、リアルタイムでセンサーデータを分析し、一組の既知の移動行動に従って、センサーデータに基づいて移動オブジェクトの移動行動を決定する。盗難感知モジュールは、履歴イメージセットに由来のプロセスを使用して、人の意図がＡＤＶの貨物の少なくとも一部を持ち去ろうとするか否かを決定し、前記人のこのような意図の決定に応答して、所定目的地に警報を送信する。
【００１４】
一つの実施形態において、一組の既知の移動行動は、データベースに記憶された一つまたは複数のイメージセットによって表され、ここで、それぞれのイメージセットは既知の人の行動を表す。移動オブジェクトの移動行動を決定する場合に、盗難感知モジュールは、移動オブジェクトのそれぞれのイメージセットと、データベースに記憶（格納）されたイメージセットとを比較する。マッチする者を発見した場合に、盗難感知モジュールは、この人は更なる分析が必要である移動行動を有することを決定することができる。
【００１５】
一つの実施形態において、データベースには一組の既知の盗難記録が記憶（格納）され、前記盗難記録は、少なくとも一度は窃盗した人を示すブラックリストである。前記ブラックリストは、ブラックリストにおける人ごとの個人データと、少なくとも一枚の顔画像を含む。
【００１６】
センサーデータはＡＤＶにおける所定のアクセス範囲内にある人の顔画像を含んでもよい。センサーデータのうちの顔画像とブラックリストのうちの顔画像とがマッチ（一致）したことは、その人が少なくとも一度は窃盗（例えば、ＡＤＶから貨物を窃盗する）を実施したことがあることを示している。
【００１７】
一つの実施形態において、移動オブジェクトの更なる分析及び監視のための移動行動を識別した後、盗難感知モジュールは、「盗難」及び「非盗難」とラベル付けされたトレーニング履歴イメージセットに由来のアルゴリズムまたはプロセスを使用することができる。「盗難」とラベル付けされたイメージセットの中のそれぞれは、いずれも人間の窃盗行動を表し、「非盗難」とラベル付けされたイメージセットの中のそれぞれは、いずれも人間の非窃盗行動を表す。イメージセットのトレーニングは、リモートサーバー上で運行されている機械学習エンジンによって実行されてもよい。
【００１８】
一つの実施形態において、他の識別子（other indicators）の一つまたは複数は、履歴イメージセットに由来のプロセスと組み合わせて移動オブジェクトの意図を決定することができる。他の識別子は、一人がブラックリストに含まれていることと、前記人がＡＤＶの所定のアクセス範囲内に現れたためにＡＤＶの重量損失が所定の閾値（例えば、１キログラム）を超えることと、ＡＤＶの不規則な動き（erratic movement）はＡＤＶが持ち去られる可能性があることを示すこととを含む。
【００１９】
代替的な実施形態において、上記人がブラックリストに含まれている、またはＡＤＶの重量が所定の閾値以上減少した場合、盗難感知モジュールは、履歴イメージセットに由来のプロセスを使用していない状況下で上記人がＡＤＶから貨物を窃盗する可能性があると決定し、直ちに所定の目的地に警報を送信することができる。
【００２０】
ＡＤＶは、機械学習エンジンが移動オブジェクト（例えば、人）の移動行動を決定するために、所定のアクセス範囲内の移動オブジェクトの移動行動をそれぞれ記録し、移動オブジェクトの意図を決定するためのプロセスを最適化させることができる。
【００２１】
本明細書で述べた本開示の実施形態は、人を移動オブジェクトの例示とする。本開示の各実施形態は、他の移動オブジェクト（例えば、ロボット）の窃盗行動または潜在的な窃盗行動を検出するのに適用できることを理解すべきである。
【００２２】
自律走行車
図１は、本開示の一つの実施形態に係る自律走行車のネットワーク構成（network configuration）を示すブロック図である。図１を参照すると、ネットワーク構成１００は、ネットワーク１０２を介して一つまたは複数のサーバー１０３乃至サーバー１０４に通信的に接続可能な自律走行車１０１を含む。一つの自律走行車しか示されていないが、複数の自律走行車がネットワーク１０２を介して相互に接続、及び／またはサーバー１０３乃至サーバー１０４に接続することができる。ネットワーク１０２は、有線または無線のローカルエリアネットワーク（ＬＡＮ）、インターネットのような広域ネットワーク（ＷＡＮ）、セルラーネットワーク、衛星ネットワーク、またはこれらの組み合わせのような任意のタイプのネットワークであってもよい。サーバー１０３乃至サーバー１０４は、ネットワークやクラウドサーバー、アプリケーションサーバー、バックエンドサーバー、またはこれらの組み合わせのような任意のタイプのサーバー、またはサーバークラスタであってもよい。サーバー１０３乃至サーバー１０４は、データ分析サーバー、コンテンツサーバー、交通情報サーバー、地図及び関心地点（ＭＰＯＩ）サーバーまたは位置サーバーなどであってもよい。
【００２３】
自律走行車は自律走行モードに設定（configure）できる車両を指し、上記自律走行モードでの車両は、運転者からの入力が極めて少なくまたは入力がない場合にナビゲートされ、環境を通過する。これらの自律走行車は、車両の動作環境に関する情報を検出するように構成された一つまたは複数のセンサーを備えるセンサーシステムを含んでもよい。上記車両とそれに関連するコントローラは、検出された情報を使用してナビゲートされ、上記環境を通過する。自律走行車１０１は、手動モード、全自律走行モードまたは部分的自律走行モードで走行することができる。
【００２４】
一つの実施形態において、自律走行車１０１は、感知及び計画システム１１０と、車両制御システム１１１と、無線通信システム１１２と、ユーザインタフェースシステム１１３と、インフォテインメントシステム１１４と、センサーシステム１１５とを含むが、これに限定されない。自律走行車１０１は、一般的な車両が備えているエンジン、ホイール、ハンドル、変速機などの一部の常用の部品をさらに含んでもよい。上記部品は、車両制御システム１１１及び／または感知及び計画システム１１０によって、例えば、加速信号またはコマンド、減速信号またはコマンド、ステアリング信号またはコマンド、制動信号またはコマンドなど、さまざまな通信信号及び／またはコマンドを使用して制御されてもよい。
【００２５】
部品１１０乃至部品１１５は、インターコネクタ、バス、ネットワークまたはこれらの組み合わせを介して相互に通信的に接続することができる。例えば、部品１１０乃至部品１１５は、コントローラエリアネットワーク（ＣＡＮ）バスを介して互いに通信的に接続することができる。ＣＡＮバスは、ホストコンピュータがなくてもアプリケーションでマイクロコントローラとデバイスが相互に通信できるように設計された車両のバス規格である。これは、本来は自動車内の電気配線を多重化するために設計されたメッセージベースのプロトコルであるが、多くの他の環境（other contexts）でも使用される。
【００２６】
また、図２を参照すると、一つの実施形態において、センサーシステム１１５は、単一または複数のカメラ２１１と、全地球測位システム（ＧＰＳ）ユニット２１２と、慣性測定ユニット（ＩＭＵ）２１３と、レーダーユニット２１４と、ライダー（ＬＩＤＡＲ）ユニット２１５とを含むが、これに限定されない。ＧＰＳシステム２１２は、自律走行車の位置に関する情報を提供するように動作できるトランシーバを含んでもよい。ＩＭＵユニット２１３は、慣性加速度に基づいて自律走行車の位置と向きの変化を感知することができる。レーダーユニット２１４は、無線信号によって自律走行車のローカル環境内のオブジェクトを感知するシステムを表してもよい。いくつかの実施形態において、レーダーユニット２１４は、オブジェクトを感知するほか、オブジェクトの速度及び／または進行方向を感知することもできる。ＬＩＤＡＲユニット２１５は、レーザーで自律走行車の位置する環境でのオブジェクトを感知することができる。ＬＩＤＡＲユニット２１５は、他のシステム構成要素を除くほか、一つまたは複数のレーザー源と、レーザースキャナーと、一つまたは複数の検出器とをさらに含んでもよい。カメラ２１１は、自律走行車の周辺環境の画像を捕捉するための一つまたは複数のデバイスを含んでもよい。カメラ２１１は、スチルカメラ及び／またはビデオカメラであってもよい。カメラは、例えば、カメラを回転及び／または傾斜プラットフォームに取り付けて機械的に移動することができる。
【００２７】
センサーシステム１１５は、ソナーセンサー（ｓｏｎａｒ  ｓｅｎｓｏｒ）、赤外線センサー、ステアリングセンサー、スロットルセンサー（ｔｈｒｏｔｔｌｅ  ｓｅｎｓｏｒ）、ブレーキングセンサー、及びオーディオセンサー（例えば、マイク）のような他のセンサーをさらに含んでもよい。オーディオセンサーは、自律走行車の周辺環境から音を捕捉するように構成されてもよい。ステアリングセンサーは、ハンドル（steering wheel）、車両のホイールまたはこれらの組み合わせのステアリング角度を感知するように構成されてもよい。スロットルセンサーとブレーキセンサーは、車両のスロットル位置とブレーキングの位置をそれぞれ感知するように構成されてもよい。状況によっては、スロットルセンサーとブレーキセンサーは、統合スロットル／ブレーキセンサーに統合されてもよい。
【００２８】
一つの実施形態において、車両制御システム１１１は、ステアリングユニット２０１と、スロットルユニット２０２（加速ユニットとも呼ばれる）と、制動ユニット２０３とを含むが、これに限定されない。ステアリングユニット２０１は、車両の方向または進行方向を調整するために使用される。スロットルユニット２０２は、モーターやエンジンの速度を制御するために使用され、モーターやエンジンの速度は車両の速度と加速度をさらに制御する。制動ユニット２０３は、摩擦を提供することにより車両のホイールまたはタイヤを減速させることで車両を減速させる。図２に示された構成要素は、ハードウェア、ソフトウェア、またはこれらの組み合わせで実装できることに注意すべきである。
【００２９】
図１を再び参照すると、無線通信システム１１２は、自律走行車１０１とデバイス、センサー、他の車両などの外部システムとの通信を可能にする。例えば、無線通信システム１１２は、単一または複数のデバイスと直接無線で通信したり、ネットワーク１０２を介してサーバー１０３〜１０４と通信する通信ネットワークを介して無線で通信したりすることができる。無線通信システム１１２は、任意のセルラー通信ネットワークまたは無線ＬＡＮ（ＷＬＡＮ）を使用することができ、例えば、ＷｉＦｉ（登録商標）を使用して、他の構成要素やシステムと通信する。無線通信システム１１２は、例えば、赤外線リンク、ブルートゥース（登録商標）などを使用して、デバイス（例えば、乗客の移動デバイス、ディスプレイデバイス、車両１０１のスピーカー）と直接通信することができる。ユーザーインターフェースシステム１１３は、例えば、キーワード、タッチスクリーンディスプレイデバイス、マイク及びスピーカーなどを含む車両１０１内で実装された周辺機器の一部にすることができる。
【００３０】
自律走行車１０１の機能の一部または全部は、感知及び計画システム１１０によって制御または管理することができ、特に自動走行モードで動作する場合に制御または管理することができる。感知及び計画システム１１０は、必要なハードウェア（例えば、プロセッサ、メモリ、記憶装置）と、ソフトウェア（例えば、オペレーティングシステム、計画と、及びルーティングプロセス）とを含み、センサーシステム１１５、制御システム１１１、無線通信システム１１２及び／またはユーザインタフェースシステム１１３から情報を受信し、受信された情報を処理し、出発点から目的地までのルートまたはパスを計画し、続いて計画と制御情報に基づいて車両１０１を走行するようにする。代わりに、感知及び計画システム１１０は車両制御システム１１１と統合することができる。
【００３１】
例えば、乗客であるユーザーは、例えば、ユーザーインターフェイスなどを介してコースの出発位置と目的地を指定することができる。感知及び計画システム１１０は、コースの関連データを取得する。例えば、感知及び計画システム１１０は、ＭＰＯＩサーバーから位置とルート情報を取得することができる。上記ＭＰＯＩサーバーは、サーバー１０３乃至サーバー１０４の一部であってもよい。ロケーションサーバーは、位置サービスを提供し、ＭＰＯＩサーバーは、地図サービスと一部の位置のＰＯＩを提供する。代わりに、このような位置とＭＰＯＩ情報は、感知及び計画システム１１０の永久記憶装置にローカルキャッシュされてもよい。いくつかの実施形態において、感知及び計画システム１１０は、ＭＰＯＩ情報（例えば、地図データ）を備えていない場合がある。例えば、感知及び計画システム１１０は、他の環境や地理的領域／場所のための地図データを持たない場合があり、感知及び計画システム１１０は、自律走行車１０１の現在走行している又は位置している環境や地理的領域／位置のための地図データ（例えば、感知及び計画システム１１０は、都市の地図データを備えるが、他の都市の地図データを備えていない場合がある）を備えていない場合がある。別の実施形態において、感知及び計画システム１１０は、任意の地図データやＭＰＯＩ情報を備えていない可能性がある（例えば、感知及び計画システム１１０には、任意の地図データが記憶されていない可能性がある）。
【００３２】
自律走行車１０１がルートに沿って移動する場合、感知及び計画システム１１０は、交通情報システムまたはサーバー（ＴＩＳ）からリアルタイムの交通情報を取得することもできる。サーバー１０３乃至サーバー１０４は、第３者のエンティティによって操作されてもよいことに注意すべきである。代りに、サーバー１０３乃至サーバー１０４の機能は、感知及び計画システム１１０と統合することができる。リアルタイムの交通情報、ＭＰＯＩ情報と位置情報とセンサーシステム１１５によって検出または感知されたリアルタイムのローカル環境データ（例えば、障害物、オブジェクト、周辺車両）に基づいて、感知及び計画システム１１０は、最適ルートを計画し、また、計画されたルートに沿って、例えば、制御システム１１１を介して車両１０１を駆動し、安全かつ効率的に指定された目的地に到着することができる。
【００３３】
サーバー１０３は、さまざまなクライアントのデータ分析サービスを実行するためのデータ分析システムであってもよい。一つの実施形態において、データ分析システム１０３は、データコレクタ１２１と、機械学習エンジン１２２とを含む。データコレクタ１２１は、様々な車両（自律走行車や人類運転者が運転する普通車）から走行統計データ１２３を収集する。走行統計データ１２３は、発行された走行コマンド（例えば、スロットル、ブレーキ、ステアリングコマンド）と、異なる時点で車両のセンサーによって捕捉された車両の応答（例えば、速度、加速、減速、方向）を示す情報とを含む。走行統計データ１２３は、例えば、ルート（出発位置と目的地の位置を含む）、ＭＰＯＩ、道路状況、気象条件などの異なる時点での走行環境を説明する情報をさらに含んでもよい。一つの実施形態において、走行統計データは、カメラなどのようなセンサーにより捕捉された人々の特定の行動や動きをさらに含んでもよい。これらの人々の一部は、貨物や車両を盗んだり、盗難を企てたりする可能性がある。
【００３４】
走行統計データ１２３に基づいて、機械学習エンジン１２２は、様々な目的のためにルールセット、アルゴリズム及び／または予測モデル１２４を作成し、トレーニングする。一つの実施形態において、機械学習エンジン１２２は、走行統計データ１２３に基づいて、一組の盗難検出規則、アルゴリズムまたは予測モデル１２４を作成またはトレーニングして、特定の人の行動がこの人が窃盗を行う可能性が高いことを示すか否か決定または予測する。過去に収集された一組の既知の窃盗の既知の行動に基づいて、アルゴリズム１２４を生成またはトレーニングすることができる。そして、例えば図３Ａに示された盗難検出アルゴリズム３１３の一部のような盗難検出アルゴリズム１２４をＡＤＶにアップロードしてもよく、上記盗難検出アルゴリズム１２４は、ＡＤＶに接近する人がＡＤＶの貨物を持ち去る可能性の有無をリアルタイムで検出することができる。
【００３５】
図３Ａ及び図３Ｂは、一つの実施形態に係る自律走行車で使用される感知及び計画システムを例示するブロック図である。システム３００は、図１の自律走行車１０１の一部として実装されてもよく、感知及び計画システム１１０と、制御システム１１１と、センサーシステム１１５とを含むが、これに限定されない。図３Ａ〜図３Ｂを参照すると、感知及び計画システム１１０は、測位モジュール３０１と、感知モジュール３０２と、予測モジュール３０３と、決定モジュール３０４と、計画モジュール３０５と、制御モジュール３０６と、ルーティングモジュール３０７と、盗難検出モジュール３０８とを含むが、これらに限定されない。
【００３６】
モジュール３０１乃至モジュール３０８の一部または全部は、ソフトウェア、ハードウェア、またはこれらの組み合わせで実装されることができる。例えば、これらのモジュールは、永久記憶装置３５２に実装され、メモリ３５１にロードされ、また、一つまたは複数のプロセッサ（図示せず）によって実行されることができる。これらのモジュールのうちの一部または全部は、図２の車両制御システム１１１の一部または全部のモジュールに通信可能に接続し、または統合することができることを注意すべきである。モジュール３０１から３０８のうちのいくつかは統合モジュールとして一緒に統合されてもよい。
【００３７】
測位モジュール３０１は、（例えば、ＧＰＳユニット２１２を活用して）自律走行車３００の現在位置を決定し、ユーザーのコースまたはルートに係るデータを管理する。測位モジュール３０１（地図及びルートモジュールとも呼ばれる）は、ユーザーのコースまたはルートに係るデータを管理する。ユーザーは、例えば、ユーザーインターフェイスを介してログインしてコースの開始位置と目的地を指定することができる。測位モジュール３０１は、地図及びルート情報３１１のような自律走行車３００の他の構成要素と通信して、コースの関連データを取得する。例えば、測位モジュール３０１は、ロケーションサーバーと地図とＰＯＩ（ＭＰＯＩ）サーバーから位置とルート情報を取得することができる。ロケーションサーバーは、位置情報サービスを提供し、ＭＰＯＩサーバーは、地図サービスと特定の位置のＰＯＩを提供し、地図とルート情報３１１のいくつかのキャッシュとして使用することができる。自律走行車３００がルートに沿って移動する場合、測位モジュール３０１は交通情報システムまたはサーバーからリアルタイムの交通情報を取得することもできる。一つの実施形態において、地図及びルート情報３１１は、永久記憶装置３５２に予め記憶されてもよい。例えば、地図及びルート情報３１１は、永久記憶装置３５２に予めダウンロードまたは複製されていてもよい。
【００３８】
センサーシステム１１５によって提供されるセンサーデータと測位モジュール３０１によって取得される測位情報に基づいて、感知モジュール３０２は、周辺環境の感知を決定する。感知情報は、一般の運転者が運転者のいる車両の周囲で感知したものを表すことができる。感知は、例えば、オブジェクトの形を利用した車線構成（例えば、直線または曲線の車線）、信号機の信号、別の車両の相対位置、歩行者、建物、横断歩道またはその他の交通関連の標識（例えば、一時停止標識、譲れ標識（yield signs））などを含んでもよい。
【００３９】
感知モジュール３０２は、コンピュータ視覚システムまたはコンピュータ視覚システムの機能を含み、一つまたは複数のカメラによって捕捉された画像を処理し、分析するこれにより、自律走行車の環境中のオブジェクト及び／または特徴を識別する。上記オブジェクトは、信号機（traffic signals）、道路境界、他の車両、歩行者、及び／または障害物などを含むことができる。コンピュータ視覚システムは、オブジェクトの識別アルゴリズム、ビデオ追跡及び他のコンピュータ視覚技術を使用することができる。いくつかの実施形態において、コンピュータ視覚システムは、環境地図を作成して、オブジェクトを追跡し、オブジェクトの速度などを推定することができる。感知モジュール３０２は、レーダー及び／またはＬＩＤＡＲなどの他のセンサーによって提供される他のセンサーデータに基づいてオブジェクトを検出することもできる。
【００４０】
オブジェクトのそれぞれに対して、予測モジュール３０３は、このような状況においてオブジェクトがどのように動作するかを予測する。予測は感知データによって実行され、上記感知データは、一組の地図／ルート情報３１１と交通ルール３１２を考慮して、その時点での走行環境を感知するものである。例えば、オブジェクトが反対方向の車両であり、現在の走行環境は交差点を含み、予測モジュール３０３は、車両が直進するかまたは曲がるかを予測する。感知データが交差点に信号機がないと示す場合、予測モジュール３０３は、車両が交差点に進入する前に完全に停止しなければならない可能性があると予測することができる。感知データは、車両が現在左折専用車線または右折専用車線に位置することを示す場合、予測モジュール３０３は、車両がそれぞれ左折または右折する可能性が高いと予測することができる。いくつかの実施形態において、自律走行車が環境や地理的領域／位置を通過する場合、上記の環境または地理的領域／場所のための地図とルート情報３１１をその場で生成（例えば、感知モジュール３０２によって生成）することができ、以下詳細に議論される通りである。
【００４１】
それぞれのオブジェクトに対して、決定モジュール３０４は、オブジェクトをどのように処理するのかを決定する。例えば、特定のオブジェクト（例えば、横断ルート内の別の車両）及びオブジェクトを記述するメタデータ（例えば、速度、方向、回転角度）に対して、決定モジュール３０４は、上記オブジェクト遇うときに如何に対応するか（例えば、追い越し、道を譲り、停止、追い抜き）を決定する。決定モジュール３０４は、交通ルールまたは走行ルール３１２のようなルールセットに基づいてそのような決定を下すことができ、上記ルールセットは永久的な記憶装置３５２に記憶されてもよい。
【００４２】
各種移動障害物／対象は、予期せずに移動する可能性がある。例えば、たとえ歩行者が経路に沿って移動した場合でも、歩行者が突然方向を変更したり、（例えば、左に曲がったり）、または加速／減速したりする可能性がある。これは、移動オブジェクトと衝突、衝突または衝突を防止するために、移動オブジェクトのルートを予測しようとするときに問題を引き起こす可能性がある。そのため、移動障害物が移動する可能性のある場所を含む領域を決定（例えば、計算（calculate）、見積もり（compute）、取得など）することは有用である。これは、ＡＤＶは移動障害物を回避する可能性を高めるように許すことができる。  
【００４３】
ルーティングモジュール３０７は、出発点から目的地ポイントまでの一つまたは複数のルートまたは経路を提供するように構成されている。開始位置から目的地の位置までの特定のコース（例えば、ユーザから受信されたコース）に対して、ルーティングモジュール３０７は、ルートと地図情報３１１を取得し、開始位置から目的地の位置まで到達するためにすべての可能なルートまたは経路を決定する。一部の実施形態において、ルートと地図情報３１１は、感知モジュール３０２によって生成することができ、以下、より詳細に議論する。ルーティングモジュール３０７は、開始位置から目的地の位置までの各ルートを決定する、地形図の形式の基準線（reference line）を作成することができる。基準線は、他の車両、障害物、交通状況など、他の車両から干渉を受けない理想的なルートまたはパスを指す。つまり、道路上の他の車両、歩行者、障害物がない場合、ＡＤＶは基準線を厳密に正確または従わなければならない。そして、地形図は決定モジュール３０４及び／または計画モジュール３０５に提供される。他のモジュールによって提供された他のデータに基づいて、例えば、測位モジュール３０１からの交通状況、感知モジュール３０２によって検出された走行環境と予測モジュール３０３によって予測された交通状況に基づいて、決定モジュール３０４及び／または計画モジュール３０５は、最適なルートの一つを選択し修正するように、すべての可能なルートを確認する。現在の時点での特定走行環境によって、ＡＤＶを制御するための実際のパスまたはルートは、ルーティングモジュール３０７によって提供される基準線に近いかまたは異なる場合がある。
【００４４】
計画モジュール３０５は、感知された各オブジェクトの決定に基づいて、ルーティングモジュール３０７によって提供される基準線に基づいて自律走行車のパスまたはルートと走行パラメータ（例えば、距離、速度、及び／または回転角度）を計画する。つまり、所定のオブジェクトに対して、決定モジュール３０４は、上記オブジェクトに対して何をするかを決定し、計画モジュール３０５は、どのようにするかどうかを決定する。例えば、所定のオブジェクトに対して、決定モジュール３０４は、上記オブジェクトを追い抜くと決定することができ、一方、計画モジュール３０５は、上記オブジェクトを左側から追い抜くかまたは右側から追い抜くかを決定することができる。計画と制御データは、計画モジュール３０５によって生成され、車両３００が次の移動サイクル（例えば、次のルート／経路区間）にはどのように移動するかを記述する情報を含む。例えば、計画および制御データは、車両３００が３０マイル／時間（ｍｐｈ）の速度で１０メートル移動し、その後２５ｍｐｈの速度で右側車線に変更するように指示することができる。
【００４５】
制御モジュール３０６は、計画および制御データに基づいて、計画および制御データにより限定されたルートまたは経路に従って、適切なコマンドまたは信号を車両制御システム１１１に送信することにより、自律走行車を制御し運転する。上記計画および制御データは、経路またはルートに沿って異なる時点で適切な車両設置または運転パラメータ（例えば、スロットル、制動、およびターニングコマンド）を使用して車両をルートまたは経路の第１の地点から第２の地点まで運転するのに十分な情報を含む。
【００４６】
一つの実施形態において、計画段階は、例えば、時間間隔が１００ミリ秒（ｍｓ）の周期など、複数の計画周期（コマンドサイクルともいう）で実行される。計画周期またはコマンドサイクルのそれぞれについて、計画および制御データに基づいて一つまたは複数の制御コマンドを発する。すなわち、１００ｍｓごとに、計画モジュール３０５は、例えば、目標位置およびＡＤＶが目標位置に到達するのに必要な時間を含む次のルート区間または経路区間を計画する。或いは、計画モジュール３０５は、更に具体的な速度、方向および／または操舵角などを規定することもできる。一実施形態では、計画モジュール３０５は、次の所定の期間（例えば、５秒）のためにルート区間または経路区間を計画する。各計画サイクルについて、計画モジュール３０５は、前の周期で計画された目標位置に基づいて、現在のサイクル（例えば、次の５秒）のための目標位置を計画する。次に、制御モジュール３０６は、現在のサイクルの計画および制御データに基づいて、一つまたは複数の制御命令（例えば、スロットル、制動、ステアリング制御コマンド）を生成する。
【００４７】
なお、決定モジュール３０４および計画モジュール３０５は、集積モジュールとして一体化されてもよい。決定モジュール３０４／計画モジュール３０５は、自律走行車の運転経路を決定するために、ナビゲーションシステムまたはナビゲーションシステムの機能を具備することができる。例えば、ナビゲーションシステムは、自律走行車が下記の経路に沿って移動することを実現するための一連の速度および進行方向を決定することができる。前記経路では、自律走行車が最終的な目的地に通じる走行車線に基づく経路に沿って進行するとともに、感知された障害物を実質的に回避できる。目的地は、ユーザインターフェースシステム１１３を介したユーザの入力に応じて設定することができる。ナビゲーションシステムは、自律走行車が走行していると同時に走行経路を動的に更新することができる。ナビゲーションシステムは、自律走行車のための運転経路を決定するために、ＧＰＳシステムおよび一つまたは複数の地図からのデータ（感知モジュール３０２によって生成されるか、または予め保存／ダウンロードされる）を組み込むことができる。
【００４８】
決定モジュール３０４／計画モジュール３０５は、自律走行車の環境における潜在的な障害物を認識、評価、回避または他の方法で追い抜くための、衝突防止システムまたは衝突防止システムの機能を更に含むことができる。例えば、衝突防止システムは、制御システム１１１における一つまたは複数のサブシステムを動作させることで、ステアリング動作、カーブ走行動作、制動動作などを行うことによって、自律走行車のナビゲーション中の変更を実現することができる。衝突防止システムは、周囲の交通モード、道路状況などに応じて実現可能な障害物回避動作を自動的に決定することができる。衝突防止システムは、自律走行車が方向変更して進入しようとする隣接領域において、他のセンサーシステムにより車両、建築障害物などが検出された時にステアリング動作を行わないように構成されることができる。衝突防止システムは、使用可能で且つ自律走行車の乗員の安全性を最大化させる動作を自動的に選択することができる。衝突防止システムは、自律走行車の客室内に最小値の加速度を発生させると予測される回避動作を選択することができる。
【００４９】
ルーティングモジュール３０７は、例えば、地図情報（例えば、道路区間の情報、道路区間の車線の情報と車道から縁石までの距離などの情報）から参照ルートを生成することができる。例えば、道路は｛Ａ、Ｂ、Ｃ｝セクションまたは区間に分けて、三つの道路区間を示すことができる。道路区間Ａの三つの車線は、｛Ａ１、Ａ２、及びＡ３｝で列挙することができる。参照ルートに沿う基準点を生成することにより参照ルートを生成する。例えば、車両車線に対して、ルーティングモジュール３０７は、地図データ（感知モジュール３０２によって生成されるか、または予め保存／ダウンロードされる）により提供される車両車線の二つの対向する縁石または端部の中間点を接続することができる。異なる時点で車両が車線で走行することを示す車両の収集されたデータポイントの中間点と機械学習データに基づいて、ルーティングモジュール３０７は、車両車線の所定アプローチ内で収集したデータポイントのサブセットを選択し、収集したデータポイントのサブセットの中間点に基づいて平滑化関数を適用することにより、基準点を算出することができる。
【００５０】
基準点または車線基準点に基づいて、ルーティングモジュール３０７は、基準点に対して補間により基準線を生成、生成された基準線を、車両車線を制御するためのＡＤＶの基準線とする。いくつかの実施形態において、基準線を表示する基準点のリストと道路区間リストは、リアルタイムでＡＤＶにアップロードされて、ＡＤＶがＡＤＶの地理位置と走行方向に沿って基準線を作成するようにする例えば、一つの実施形態では、ＡＤＶは近づく前方の道路区間の経路区間識別子及び／またはＡＤＶに基づいたＧＰＳの位置を表示することを通じて、パス区間のためのルーティングサービスを要求して基準線を生成する。パス区間識別子に基づいて、ルーティングサービスは、ＡＤＶの基準点リストに返され、前記基準点のリストは、注視する道路区間のすべての車線の基準点を含む。ＡＤＶは、パス区間のための車線の基準点を捜索して、車両車線のＡＤＶを制御するための基準線を作成することができる。
【００５１】
盗難感知モジュール３０８は、センサーシステム１１５により収集されたセンサーデータを分析し、ＡＤＶの所定のアクセス範囲内にある人が、人間障害物であるか、またはＡＤＶから盗みを働く者なのか、またはＡＤＶを丸ごと持ち去る者なのかを検出するように構成される。盗難感知モジュール３０８は、人の行動に応じて、一組の盗難検出アルゴリズムまたは盗難予測モジュール３１３を使用して、盗難検出を実行することができる。
【００５２】
盗難防止システム
図４は、一つの実施形態に係る貨物を輸送するためのＡＤＶの例示的な盗難防止システムを示す。図４に示されたように、盗難防止システム４００は、ＡＤＶ１０１に設けることができる。一つの実施形態において、ＡＤＶ１０１は、例えば、卸売業者から小売まで、または食料品雑貨店から個人の家までの貨物輸送に用いることができる。
【００５３】
一つの実施形態において、盗難防止システム４００は、センサーシステム１１５と、警報器４１５と、盗難感知モジュール３０８と、データベース４１８とを含んでもよい。センサーシステム１１５は、複数のセンサーを含んでもよく、例えば、一つまたは複数のカメラ２１１、重量計４１１（例えば、圧力センサー）と動きセンサー４１３（移動（motion）センサーでも呼ばれ、例えば加速度計、ＩＭＵ）である。
【００５４】
カメラ２１１は、ＡＤＶの所定のアクセス範囲内の移動オブジェクト（例えば、人）のデータを捕捉するように構成される。捕捉されたデータは、デジタルイメージ、ビデオ、及びオーディオを含む複数のフォーマットで表してもよい。一つまたは複数の要素に基づいて、ＡＤＶの所有者のニーズ、ＡＤＶが通常動作している環境、及び同じエリアで動作しているＡＤＶ及び類似のＡＤＶが以前に捕捉された移動オブジェクトの活動を含む所定のアクセス範囲を設定することができる。例えば、カメラはＡＤＶの５メートルの範囲内で移動オブジェクトのデータを捕捉するように構成さてもよい。
【００５５】
重量計４１１は、ＡＤＶ１０１に装着され、ＡＤＶの重量をリアルタイムで検出することができる。例えば、重量計４１１は、ＡＤＶの各部位に設置された一つまたは複数の圧力センサーを含み、ＡＤＶの重量変化を検出することができる。動きセンサー４１３は、加速度計のようにＡＤＶの動きをリアルタイムで検出することができる。ＡＤＶの動きまたは重量のリアルタイムのデータは、単独で使用し、またはカメラ２１１を介して捕捉されたデータと組み合わせて使用して、ＡＤＶの所定のアクセス範囲内の移動オブジェクトの潜在的な窃盗行動を検出することができる。
【００５６】
警報器４１５は、ＡＤＶに設置された周辺機器であり、大きな音を発して予定目的地へ通知を送信するものであってもよい。一つの実施形態において、警報器４１５は、大きな音を発する警報ラッパを含んでもよい。警報器４１５は、ネットワークインターフェイスに接続され、警報ごとの関連データを警報応答センターに送信することができる。各警報に関連するデータは、移動オブジェクト（例えば、人）の顔画像と、窃盗行動に係るイメージセットと、窃盗行動の発生位置を示すＧＰＳ信号を含むことができる。警報器４１５は、ＡＤＶの不規則動きが検出された場合、例えばＡＤＶがまるごと持ち去った動きを示す場合、ネットワークを介してＧＰＳ信号やイメージを連続的に警報応答センターに送信することができる。
【００５７】
一つの実施形態において、データベース４１８は、盗難記録４２７と、イメージセット４２９と、捕捉されたセンサーデータ４３１とを含む異なるタイプのデータを記憶（格納）するのに用いられることができる。各種のタイプのデータは、いずれも１つまたは複数のリストに記憶（格納）することができる。盗難記録４２７は、少なくとも一度の窃盗を働いた人を含むブラックリストを示すようにしてもよい。上記ブラックリストは、ブラックリストにおける人の個人データと、少なくとも一枚の顔イメージとを含む。イメージセット４２９は、人の移動行動を記述する一つまたは複数のイメージセットを含むことができ、盗難検出ルールまたはアルゴリズム３１３の一部を構成するようにしてもよい。センサーデータ４３１は、所定の時間帯内（例えば、過去６ヶ月以内）でセンサーによって捕捉されたすべてのセンサーデータを含んでもよい。
【００５８】
一つの実施形態において、センサーデータ４３１は、イメージセット４１９を更新するのに用いられることができ、機械学習エンジン１２２により、可能な行動を検出するためのアルゴリズムを構成し、またはこの種の目的のための従来のアルゴリズムを最適化するのに用いられ、上記アルゴリズムは、盗難検出アルゴリズムまたはモジュール１２４またはアルゴリズム３１３を更新するのに用いられることができる。
【００５９】
設定可能な時間間隔で盗難記録４２７とイメージセット４２９のリストを記憶（格納）しリモートデータベースと同期して、一つまたは複数の所定のエリアで動作されている他のＡＤＶの新しく作成された盗難記録とイメージセットを利用して、盗難記録４２７とイメージセット４２９とを更新することができる。
【００６０】
図４に示されたように、盗難感知モジュール３０８は、様々なモジュールを含むことができ、顔感知モジュール４１７と、行動検出モジュール４１９と、行動判断モジュール４２１と、警報制御モジュール４２３と、センサーデータレコーダモジュール４２５とを含むことができる。これらのモジュールのうちのそれぞれは、いずれもＡＤＶ内のコンピューティングデバイス上で実行されるソフトウェアモジュールであってもよい。一つの実施形態において、コンピューティングデバイスは、Ｌｉｎｕｘ（登録商標）オペレーティングシステムがインストールされた産業用パーソナルコンピュータ（ＩＰＣ）であってもよい。代りに、モジュール４１７乃至モジュール４２５のうちの少なくとも一部は、ハードウェアまたはファームウェアで実現される。なお、具体的なアプリケーションに応じて、これらのモジュールのうちの少なくとも一部または全部は、より少ないモジュールまたはモジュールの一つに集積することができる。
【００６１】
カメラ２１１は、センサーデータを提供して顔感知モジュール４１７及び行動検出モジュール４１９に供してもよい。顔感知モジュール４１７は、人の画像データを事前に処理し、ブラックリストからこの人の顔の特徴を捜索してマッチングをすることができる。マッチしたものが見つかった場合、警報制御モジュール４２３にフラグを送信し、前記警報制御モジュール４２３は、直ちに警報を送信するように警報器４１５に促し、または警報４１５が警報を送信する前に一つまたは複数の付加的な窃盗の識別子を待ち受ける。行動検出モジュール４１９は、捕捉された人のイメージセットを使用して、捕捉されたイメージセットとデータベース４１８中のイメージセット４２９中のイメージセットとマッチする者が存在するか否かを決定することができる。イメージセットがマッチした者は、この者が更なる分析が必要な移動行動を実行したことを示す。
【００６２】
一つの実施形態において、このような移動行動が検出された後、行動判断モジュール４２１は、トレーニング履歴イメージセットに由来のプロセスまたはアルゴリズムを使用して、移動行動に基づいて、この人がＡＤＶの貨物の一部を持ち去る可能性があるか否かを決定する。一つの実施形態において、イメージ及び／または他のセンサーデータ（例えば、圧力センサーデータは、加速度計データ）から一組の特徴を抽出することができる。上記一組の特徴を盗難予測モジュールにフィードバックして、これらの行動が所定の窃盗行動に係るか否かを決定するようにする。一組の過去の既知の窃盗行動を使用して、盗難予測をトレーニングしたりして、またはモジュールを決定することができる。
【００６３】
説明的な例示として、人が手ぶらでＡＤＶに接近し、手に貨物を一個持ってＡＤＶを離れていくイメージセットを表示することにより、この人の更なる分析が必要であると認識された移動行動を示す場合、行動判断モジュール４２１の使用するアルゴリズムまたはプロセスは、この人の意図がＡＤＶの貨物の少なくとも一部を持ち去ることを決定する。
【００６４】
一つの実施形態において、一つまたは複数の付加的な識別子は、単独で使用するか、またはアルゴリズムまたはプロセスと組み合わせて使用することができ、移動行動に基づいてこの人の意図を決定する。
【００６５】
例えば、更なる分析が必要である人の移動行動が検出された後、行動検出モジュール４１９が重量計４１１から、ＡＤＶの重量損失が所定の閾値を超えたことを示すリアルタイム重量データを受信すると、行動検出モジュール４２１は、この人の意図がＡＤＶの貨物の少なくとも一部を持ち去ろうとすることを決定することができ、警報制御モジュール４２３に警報を送信するように指示することができる。このほかに、警報メッセージは、例えば、法的執行機関またはＡＤＶオペレータ組織のような集中型の施設に送信されてもよい。
【００６６】
一つの実施形態において、この人が窃盗の意図を決定するための他の識別子は、この人がブラックリストに含まれていることと、ＡＤＶの不規則動きはＡＤＶが持ち去られる可能性があることを示すこととを含んでもよい。例えば、人が態度不明な方法で車両に接近し、すなわち、車両にゆっくり接近する同時に周りをのぞいたり歩き回わったりする場合、この人は車両の所有者または権利のある者ではない可能性がある。他方で、この人がまっすぐに車に向かって接近すると、この特定の人は、所有者または権利のある者である可能性がある。この人が実行する他の動作に従って、このような行動を用いて、これらの動作が窃盗の動作に関連するか否かを決定する。
【００６７】
いくつかの状況で、車両から貨物を運んで行った人は、窃盗ではない可能性もある。この人は車から荷物を卸す権利のある者である可能性もある。盗難検出システムは、ある人が貨物を運んで行ったという事実のみに依存しないようにすることができる。上記状況に応じて捕捉したすべての行動データに従って決定する必要がある。捕捉された人の動作や動きのイメージから一組の特徴を抽出して、この人の行動を決定することができる。特徴を分析して結論を得ることができる。一つの実施形態において、抽出された上記一組の特徴は、機械学習エンジンによって生成された盗難予測モジュールにフィードバックされ、このような行動が窃盗の動作を実行する可能性があるか否かを予測する。上述したように、例えば、機械学習エンジン１２２のような機械学習エンジンを利用して、大量のオフラインの窃盗の実行トレーニングデータに基づいて、盗難予測モジュールをトレーニングし及び生成することができる。
【００６８】
図５は、一つの実施形態に係る貨物を輸送するためのＡＤＶの盗難防止の例示的なプロセスを示す。プロセス５００は、処理ロジックによって実行され、上記処理ロジックは、ソフトウェア、ハードウェア、またはそれらの組み合わせを含むことができる。図５に示されたプロセス５００は、図４で述べた例示的な盗難防止システム（例えば、盗難感知モジュール３０８）により実行されてもよい。
【００６９】
図５に示されたように、動作５１１において、ＡＤＶの中の盗難感知モジュールは、複数のセンサーから移動オブジェクトのセンサーデータを受信し、上記移動オブジェクトは、貨物を輸送するためのＡＤＶの所定のアクセス範囲内にある人を示す。センサーデータは、センサーによって捕捉された移動オブジェクトの一連のイメージを含むことができる。
【００７０】
動作５１３において、盗難感知モジュールは、一組の既知の移動行動に従って、センサーデータに基づいて移動オブジェクトの移動行動を決定する。移動行動は、更なる分析が必要である移動行動を移動オブジェクトが実行したことを示す。移動行動を決定するとき、盗難感知モジュールは、センサーデータ中のイメージセットとデータベースに記憶された一つまたは複数のイメージセットとの間のマッチングを検索することができる。ここで、イメージセットは、一組の既知の行動を示す。データベースは、設定可能な固定の時間間隔でリモートデータベースと同期してアップデート情報を取得することができる。
【００７１】
動作５１５において、この人が更なる分析が必要である移動行動を実行した移動行動を検出した後、盗難感知モジュールは、上記移動行動に基づいて、この人の意図がＡＤＶの貨物の少なくとも一部を持ち去ろうとするか否かを決定する。このような意図を決定した場合、盗難感知モジュールは、「窃盗」と「非窃盗」に分類されたイメージセットのトレーニング履歴イメージセットに由来のアルゴリズムまたはプロセスを使用することができる。代りに、盗難感知モジュールは、単一または複数の付加的な識別子を使用することができ、上記識別子は、人がブラックリストに含まれていること、ＡＤＶの顕著な重量損失及び／またはＡＤＶの不規則動きはＡＤＶが持ち去ることを示すことを含む。
【００７２】
動作５１７において、盗難感知モジュールは、この人の意図がＡＤＶの貨物の少なくとも一部を持ち去ろうとすることを決定したことに応答して、警報制御モジュールが所定目的地に警報を送信するように指示する。
【００７３】
図６は、本開示の一実施形態と組み合わせて使用されるデータ処理システムを例示的に示すブロック図である。例えば、システム１５００は、上記プロセス又は方法のいずれか（例えば、図１の感知及び計画システム１１０、及びサーバー１０３〜１０４のいずれか）を実行する上記任意のデータ処理システムを示してもよい。システム１５００は、複数の異なる構成要素を含んでもよい。これらの構成要素は、集積回路（ＩＣ）、集積回路の一部、分散型電子装置又は回路基板（例えば、コンピュータシステムのマザーボード又はアドインカード）に適用された他のモジュール、又は他の方式でコンピュータシステムのシャシーに組み込まれた構成要素として実現することができる。
【００７４】
さらに、システム１５００は、コンピュータシステムの複数の構成要素の高レベルビューを示すことを目的とする。しかしながら、いくつかの実現形態では、付加的構成要素が存在する場合があることを理解すべきである。また、他の実現形態において示される構成要素が異なる構成を有してもよい。システム１５００は、デスクトップコンピュータ、ラップトップコンピュータ、タブレットコンピュータ、サーバー、携帯電話、メディアプレーヤー、パーソナルディジタルアシスタント（ＰＤＡ）、スマート腕時計、パーソナルコミュニケーター、ゲーム装置、ネットワークルータ又はハブ、無線アクセスポイント（ＡＰ）又はリピーター、セットトップボックス、又はそれらの組合せを示してもよい。また、単一の機器又はシステムのみを示したが、用語「機器」又は「システム」は、さらに、独立又は共同で１つ（又は複数）のコマンドセットを実行することにより本明細書に説明される任意の１種又は複数種の方法を実行する機器又はシステムの任意のセットを含むことを理解すべきである。
【００７５】
一実施形態において、システム１５００は、バス又はインターコネクタ１５１０によって接続されたプロセッサ１５０１、メモリ１５０３及び装置１５０５〜１５０８を備える。プロセッサ１５０１は、単一のプロセッサコア又は複数のプロセッサコアを含む単一のプロセッサ又は複数のプロセッサを示してもよい。プロセッサ１５０１は、マイクロプロセッサ、中央処理装置（ＣＰＵ）等のような１つ又は複数の汎用プロセッサを示してもよい。より具体的には、プロセッサ１５０１は、複雑コマンドセット計算（ＣＩＳＣ）マイクロプロセッサ、縮小コマンドセットコンピュータ（ＲＩＳＣ）マイクロプロセッサ、超長コマンド語（ＶＬＩＷ）マイクロプロセッサ、又は他のコマンドセットを実現するプロセッサ、又はコマンドセットの組合せを実現するプロセッサであってもよい。プロセッサ１５０１は、さらに、専用集積回路（ＡＳＩＣ）、セルラー又はベースバンドプロセッサ、フィールドプログラマブルゲートアレイ（ＦＰＧＡ）、デジタル信号プロセッサ（ＤＳＰ）、グラフィックプロセッサ、ネットワークプロセッサ、通信プロセッサ、暗号プロセッサ、コプロセッサ、組み込みプロセッサのような１つ又は複数の専用プロセッサ、あるいはコマンド処理可能な任意の他のタイプのロジックであってもよい。
【００７６】
プロセッサ１５０１（超低電圧プロセッサのような低電力マルチコアプロセッサソケットであってもよい）は、前記システムの各種の構成要素と通信するための主処理ユニット及び中央ハブとして用いられてもよい。このようなプロセッサは、システムオンチップ（ＳｏＣ）として実装することができる。プロセッサ１５０１は、本明細書に説明される動作及びステップを実行するためのコマンドを実行するように構成される。また、システム１５００は、選択可能なグラフィックサブシステム１５０４と通信するグラフィックインターフェースをさらに含んでもよく、グラフィックサブシステム１５０４は、ディスプレイコントローラ、グラフィックプロセッサ及び／又は表示装置をさらに備えてもよい。
【００７７】
プロセッサ１５０１は、メモリ１５０３と通信してもよく、メモリ１５０３は、一実施形態において複数のメモリによって所定量のシステムメモリを提供する。メモリ１５０３は、ランダムアクセスメモリ（ＲＡＭ）、ダイナミックＲＡＭ（ＤＲＡＭ）、シンクロナスＤＲＡＭ（ＳＤＲＡＭ）、スタティックＲＡＭ（ＳＲＡＭ）又は他のタイプのメモリのような１つ又は複数の揮発性記憶装置（又はメモリ）を備えてもよい。メモリ１５０３は、プロセッサ１５０１又は任意の他の装置により実行されるコマンドシーケンスを含む情報を記憶できる。例えば、複数種のオペレーティングシステム、装置ドライバー、ファームウェア（例えば、基本入出力システム又はＢＩＯＳ）及び／又はアプリケーションの実行可能なコード及び／又はデータは、メモリ１５０３にロードされて、プロセッサ１５０１により実行されてもよい。オペレーティングシステムは、ロボットオペレーティングシステム（ＲＯＳ）、Ｍｉｃｒｏｓｏｆｔ（登録商標）会社からのＷｉｎｄｏｗｓ（登録商標）オペレーティングシステム、アップル会社からのＭａｃＯＳ（登録商標）／ｉＯＳ（登録商標）、Ｇｏｏｇｌｅ（登録商標）会社からのＡｎｄｒｏｉｄ（登録商標）、Ｌｉｎｕｘ（登録商標）、Ｕｎｉｘ又は他のリアルタイム又は組み込みオペレーティングシステムのような任意のタイプのオペレーティングシステムであってもよい。
【００７８】
システム１５００は、Ｉ／Ｏデバイス、例えば装置１５０５〜１５０８をさらに備えてもよく、ネットワークインターフェースデバイス１５０５、選択可能な入力デバイス１５０６及び他の選択可能なＩ／Ｏデバイス１５０７を備えてもよい。ネットワークインターフェースデバイス１５０５は、無線送受信機及び／又はネットワークインターフェースカード（ＮＩＣ）を備えてもよい。前記無線送受信機は、ＷｉＦｉ（登録商標）送受信機、赤外送受信機、ブルートゥース（登録商標）送受信機、ＷｉＭａｘ送受信機、無線セルラーホン送受信機、衛星送受信機（例えば、全地球測位システム（ＧＰＳ）送受信機）又は他の無線周波数（ＲＦ）送受信機又はそれらの組合せであってもよい。ＮＩＣは、イーサネット（登録商標）カードであってもよい。
【００７９】
入力デバイス１５０６は、マウス、タッチパッド、タッチスクリーン（それは表示装置１５０４と集積されてもよい）、ポインタデバイス（例えばスタイラス）及び／又はキーボード（例えば、物理キーボード、又はタッチスクリーンの一部として表示された仮想キーボード）を備えてもよい。例えば、入力デバイス１５０６は、タッチスクリーンに接続されるタッチスクリーンコントローラを含んでもよい。タッチスクリーン及びタッチスクリーンコントローラは、例えば複数種のタッチ感度技術（容量式、抵抗式、赤外式及び表面音波の技術を含むが、それらに限定されない）のいずれか、及びタッチスクリーンの１つ又は複数の接触点を決定するための他の近接センサアレイ又は他の素子を用いて、そのタッチ点及び移動又は断続を検出することができる。
【００８０】
Ｉ／Ｏデバイス１５０７は音声装置を備えてもよい。音声装置は、スピーカー及び／又はマイクロホンを含んでもよく、それにより音声認識、音声コピー、デジタル記録及び／又は電話機能のような音声サポートの機能を促進する。他のＩ／Ｏデバイス１５０７は、汎用シリアルバス（ＵＳＢ）ポート、パラレルポート、シリアルポート、プリンタ、ネットワークインターフェース、バスブリッジ（例えば、ＰＣＩ〜ＰＣＩブリッジ）、センサー（例えば、加速度計、ジャイロスコープ、磁力計、光センサー、コンパス、近接センサー等のような動きセンサー）又はそれらの組合せをさらに備えてもよい。装置１５０７は、結像処理サブシステム（例えば、カメラ）をさらに備えてもよく、前記結像処理サブシステムは、カメラ機能（例えば、写真及びビデオクリップの記録）を促進するための電荷カップリング装置（ＣＣＤ）又は相補型金属酸化物半導体（ＣＭＯＳ）光学センサーのような光学センサーを備えてもよい。あるセンサーは、センサーハブ（図示せず）によってインターコネクタ１５１０に接続されてもよく、キーボード又は温度センサーのような他の装置は、埋め込みコントローラ（図示せず）により制御されてもよく、これはシステム１５００の特定の設定又は設計により決められる。
【００８１】
データ、アプリケーション、１つ又は複数のオペレーティングシステム等のような情報の永久記憶を提供するために、大容量メモリ（図示せず）が、プロセッサ１５０１に接続されてもよい。様々な実施形態において、薄型化と軽量化のシステム設計を実現しかつシステムの応答能力を向上させるために、このような大容量メモリは、ソリッドステート装置（ＳＳＤ）によって実現されてもよい。なお、他の実施形態において、大容量メモリは、主にハードディスクドライブ（ＨＤＤ）で実現されてもよく、少量のＳＳＤ記憶量は、ＳＳＤキャッシュとして、停電イベント期間にコンテキスト状態及び他のこのような情報の不揮発性記憶を実現し、それによりシステム動作が再開する時に通電を速く実現してもよい。さらに、フラッシュデバイスは、例えばシリアルペリフェラルインターフェース（ＳＰＩ）によってプロセッサ１５０１に接続されてもよい。このようなフラッシュデバイスは、システムソフトウェアの不揮発性記憶に用いられてもよく、前記システムソフトウェアは、前記システムのＢＩＯＳ及び他のファームウェアを備えてもよい。
【００８２】
記憶装置１５０８は、任意の１種又は複数種の本明細書に記載の方法又は機能を実現する１つ又は複数のコマンドセット又はソフトウェア（例えば、モジュール、ユニット及び／又はロジック１５２８）が記憶されるコンピュータアクセス可能な記憶媒体１５０９（機械可読記憶媒体又はコンピュータ可読媒体とも呼ばれる）を備えてもよい。処理モジュール／ユニット／ロジック１５２８は、例えば、計画モジュール３０４、制御モジュール３０５、盗難感知モジュール３０８および／または機器学習エンジン１２２のような上記構成要素のいずれかを示してもよい。処理モジュール／ユニット／ロジック１５２８は、さらにデータ処理システム１５００、メモリ１５０３及びプロセッサ１５０１により実行される期間に、メモリ１５０３内及び／又はプロセッサ１５０１内に完全又は少なくとも部分的に存在してもよく、ここで、メモリ１５０３及びプロセッサ１５０１も、機器アクセス可能な記憶媒体を構成する。処理モジュール／ユニット／ロジック１５２８は、さらにネットワークによってネットワークインターフェースデバイス１５０５を経由して送受信されてもよい。
【００８３】
コンピュータ可読記憶媒体１５０９は、以上に説明したいくつかのソフトウェア機能の一部を永久的に記憶してもよい。コンピュータ可読記憶媒体１５０９は、例示的な実施形態において単一の媒体として示されたが、用語「コンピュータ可読記憶媒体」は、前記１つ又は複数のコマンドセットが記憶される単一の媒体又は複数の媒体（例えば、集中型又は分散型データベース、及び／又は関連するキャッシュ及びサーバー）を備えていることを理解すべきである。用語「コンピュータ可読記憶媒体」は、さらにコマンドセットを記憶又はコーディング可能な任意の媒体を備えることを理解すべきであり、前記コマンドセットは、機器により実行されかつ前記機器に本開示の任意の１種又は複数種の方法を実行させることができる。従って、用語「コンピュータ可読記憶媒体」は、ソリッドステートメモリ及び光学媒体と磁気媒体又は任意の他の非一時的機械可読媒体を備えるが、それらに限定されないことを理解すべきである。
【００８４】
本明細書に記載された処理モジュール／ユニット／ロジック１５２８、構成要素及び他の特徴は、ディスクリートハードウェア構成要素として実装されてもよく、又はハードウェア構成要素（例えばＡＳＩＣＳ、ＦＰＧＡ、ＤＳＰ又は類似の装置）の機能に統合されてもよい。さらに、処理モジュール／ユニット／ロジック１５２８は、ハードウェア装置内のファームウェア又は機能回路として実装されてもよい。また、処理モジュール／ユニット／ロジック１５２８は、ハードウェア装置及びソフトウェア構成要素の任意の組合せで実装されてもよい。
【００８５】
なお、システム１５００は、データ処理システムの各種の構成要素を有することを示しているが、構成要素の相互接続のいかなる特定のアーキテクチャー又は方式を示すものではないことに注意すべきであり、それはこのような詳細が本開示の実施形態に密接な関係がないためである。また、より少ない構成要素又はより多くの構成要素を有するネットワークコンピュータ、ハンドヘルドコンピュータ、携帯電話、サーバー及び／又は他のデータ処理システムは、本開示の実施形態と共に使用されてもよい。
【００８６】
上記詳細な説明の一部は、コンピュータメモリにおけるデータビットに対する演算のアルゴリズム及び記号表現で示される。これらのアルゴリズムの説明及び表現は、データ処理技術分野における当業者が、自己の仕事の内容を所属分野の他の当業者に最も効果的に伝えるために使用する方法である。ここで、アルゴリズムは、通常、所望の結果につながる自己矛盾のない動作シーケンス（ｓｅｑｕｅｎｃｅ  ｏｆ  ｏｐｅｒａｔｉｏｎｓ）と考えられる。これらの動作とは、物理量に対して物理的動作を必要とする動作を指す。
【００８７】
ただし、これらの全ての用語及び類似の用語は、いずれも適切な物理量に関連付けられ、かつこれらの量の記述のための便宜上のものにすぎないことに注意すべきである。特に断らない限り、本願の全体にわたって用語（例えば、添付の特許請求の範囲に記載された用語）による説明は、コンピュータシステム又は類似の電子計算装置の動作及び処理に関するものであり、前記コンピュータシステム又は電子計算装置は、コンピュータシステムのレジスタ及びメモリにおける物理（例えば、電子）量として示されたデータを制御し、かつ前記データを、コンピュータシステムメモリ又はレジスタ又は他のこの種の情報記憶装置、伝送又は表示装置内において類似に物理量として示された他のデータに変換することを理解すべきである。
【００８８】
本開示の実施形態は、さらに本明細書における動作を実行するためのコンピュータプログラムに関する。このようなコンピュータプログラムは、非揮発性のコンピュータ可読媒体に記憶（格納）される。機器可読媒体は、機器（例えば、コンピュータ）可読な形態で情報を記憶する任意の機構を備える。例えば、機器可読（例えば、コンピュータ可読）媒体は、機器（例えば、コンピュータ）可読記憶媒体（例えば、読み出し専用メモリ（「ＲＯＭ」）、ランダムアクセスメモリ（「ＲＡＭ」）、磁気ディスク記憶媒体、光記憶媒体、フラッシュメモリメモリ）を備える。
【００８９】
上記図面に示される手順又は方法は、ハードウェア（例えば、回路、専用ロジック等）、ソフトウェア（例えば、非揮発性のコンピュータ可読媒体に具現化される）、又は両方の組合せを含む処理ロジックにより実行されてもよい。前記手順又は方法は、本明細書において特定の順序に応じて説明されるが、説明された動作の一部は、異なる順序に応じて実行されてもよい。また、いくつかの動作は、順番ではなく並行に実行されてもよい。
【００９０】
本開示の実施形態は、いずれかの特定のプログラミング言語を参照して説明されていないが、複数種のプログラミング言語で本明細書に記載された本開示の実施形態の教示を実現できることを理解すべきである。
【００９１】
以上の明細書において、本開示の具体的な例示的な実施形態を参照しながらその実施形態を説明した。添付の特許請求の範囲に記載された本開示のより広い趣旨及び範囲を逸脱しない限り、様々な変形が可能であることは明らかである。従って、限定的なものではなく例示的なものとして本明細書及び図面を理解すべきである。
【図１】
2021530039.tif 000003
【図２】
2021530039.tif 000004
【図３Ａ】
2021530039.tif 000005
【図３Ｂ】
2021530039.tif 000006
【図４】
2021530039.tif 000007
【図５】
2021530039.tif 000008
【図６】
2021530039.tif 000009
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
自律走行車の盗難防止のためのコンピュータによって実行されるコンピュータ実装方法であって、
盗難感知モジュールによって複数のセンサーから移動オブジェクトのセンサーデータを受信するステップであって、前記移動オブジェクトは貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを決定したことに応答して、所定目的地に警報を送信するステップと、を含む、前記コンピュータ実装方法。
【請求項２】
前記一組の既知の移動行動は、データベースに記憶された複数のイメージセットによって表示され、それぞれのイメージセットは、人によって実行される既知の行動である
請求項１に記載のコンピュータ実装方法。
【請求項３】
前記移動オブジェクトの前記移動行動は、前記センサーデータのイメージセットと前記データベースに記憶された前記複数のイメージセットのいずれかとのマッチングに基づいて決定される
請求項２に記載のコンピュータ実装方法。
【請求項４】
前記人の意図は、トレーニング履歴イメージセットに由来のプロセスに基づいて決定され、
前記トレーニング履歴イメージセットは、窃盗行動を示すイメージセットと非窃盗行動を示すイメージセットに分類される
請求項１に記載のコンピュータ実装方法。
【請求項５】
前記人の意図は、複数の他の識別子における一つまたは複数の識別子に基づいて決定され、
前記複数の他の識別子は、前記人がブラックリストに含まれていることと、前記自律走行車の重量損失が所定の閾値を超えていることと、前記自律走行車の不規則動きは前記自律走行車が持ち去られる可能性があることを示すことと、を含む
請求項４に記載のコンピュータ実装方法。
【請求項６】
前記自律走行車の重量損失は、前記自律走行車に設けられた重量計によって生成された前記自律走行車のリアルタイムの重量に基づいて決定される
請求項５に記載のコンピュータ実装方法。
【請求項７】
前記自律走行車の不規則動きは、前記自律走行車に設けられた動きセンサーによって生成された前記自律走行車のリアルタイムの動きに基づいて決定される
請求項５に記載のコンピュータ実装方法。
【請求項８】
前記ブラックリストは前記データベースに記憶された複数の車両盗難記録を含み、それぞれの記録は窃盗を実行した人の顔イメージを含む
請求項５に記載のコンピュータ実装方法。
【請求項９】
前記盗難感知モジュールは、前記センサーデータを前記データベースに記憶するように構成されるセンサーデータロガーモジュールを含み、
前記センサーデータは機械学習エンジンに送信され、前記機械学習エンジンは前記センサーデータを使用して、前記人の意図が前記自律走行車から貨物の少なくとも一部を持ち去ろうとするか否かを決定するためのプロセスを最適化する
請求項１に記載のコンピュータ実装方法。
【請求項１０】
指令が記憶されている非一時的機械可読媒体であって、
前記指令がプロセッサによって実行されると、前記プロセッサが自律走行車に対して盗難防止のための動作を実行し、前記動作は、
盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを確定したことに応答して、所定目的地に警報を送信するステップと、
を含む、前記非一時的機械可読媒体。
【請求項１１】
前記一組の既知の移動行動は、データベースに記憶された複数のイメージセットによって表示され、それぞれのイメージセットは人によって実行される既知の行動を表示する
請求項１０に記載の非一時的機械可読媒体。
【請求項１２】
前記移動オブジェクトの前記移動行動は、前記センサーデータのイメージセットと前記データベースに記憶された前記複数のイメージセットのいずれかとの間のマッチングに基づいて決定される
請求項１１に記載の非一時的機械可読媒体。
【請求項１３】
前記人の意図は、トレーニング履歴イメージセットに由来のプロセスに基づいて決定され、
前記トレーニング履歴イメージセットは、窃盗行動を表すイメージセットと非窃盗行動を表すイメージセットに分類されている
請求項１０に記載の非一時的機械可読媒体。
【請求項１４】
前記人の意図は、複数の他の識別子における一つまたは複数の識別子に基づいて決定され、
前記複数の他の識別子は、前記人がブラックリストに含まれていることと、前記自律走行車の重量損失が所定の閾値を超えることと、前記自律走行車の不規則動きは前記自律走行車が持ち去られる可能性があることを示すことと、を含む
請求項１３に記載の非一時的機械可読媒体。
【請求項１５】
前記自律走行車の重量損失は、前記自律走行車に設けられた重量計によって生成された前記自律走行車のリアルタイムの重量に基づいて決定される
請求項１４に記載の非一時的機械可読媒体。
【請求項１６】
前記自律走行車の不規則動きは、前記自律走行車に設置された動きセンサーによって生成された前記自律走行車のリアルタイムの動きに基づいて決定される
請求項１４に記載の非一時的機械可読媒体。
【請求項１７】
前記ブラックリストは、前記データベースに記憶された複数の車両盗難記録を表示し、それぞれの記録は窃盗を実行した人の顔イメージを含む
請求項１４に記載の非一時的機械可読媒体。
【請求項１８】
前記盗難感知モジュールは、前記センサーデータを前記データベースに記憶するように構成されるセンサーデータロガーモジュールを含み、
前記センサーデータは、機械学習エンジンに送信され、前記機械学習エンジンは、前記センサーデータを使用し、前記人の意図が前記自律走行車から貨物の少なくとも一部を持ち去ろうとするか否かを決定するためのプロセスを最適化する
請求項１０に記載の非一時的機械可読媒体。
【請求項１９】
自律走行車の盗難防止システムであって、
プロセッサと、前記プロセッサに接続されて指令を記憶するためのメモリとを含み、
前記指令が前記プロセッサによって実行される場合、前記プロセッサに動作を実行させ、前記動作は、
盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと、前記自律走行車のリアルタイムの重量及び動きとを含む、ステップと、
一組の既知の移動行動に従って、前記センサーデータに基づいて前記移動オブジェクトの移動行動を決定するステップと、
前記移動行動に基づいて、前記人の意図が前記自律走行車から前記貨物中の少なくとも一部を持ち去ろうとするか否かを決定するステップと、
前記人の意図が前記自律走行車から前記貨物中の少なくとも一部を持ち去ろうとするものであることを決定したことに応答して、所定目的地に警報を送信するステップと、を含む、システム。
【請求項２０】
前記一組の既知の移動行動は、データベースに記憶された複数のイメージセットによって表示され、それぞれのイメージセットは人によって実行される既知の行動を表示する
請求項１９に記載のシステム。
【請求項２１】
コンピュータプログラムであって、
前記コンピュータプログラムがプロセッサにより実行されると、請求項１ないし請求項９のいずれか一項に記載の方法を実現させるコンピュータプログラム。
【手続補正２】
【補正対象書類名】明細書
【補正対象項目名】全文
【補正方法】変更
【補正の内容】
【発明の詳細な説明】
【技術分野】
【０００１】
本開示の実施形態は、全体的に自律走行車に関する。より具体的に、本開示の実施形態は、貨物を輸送するための自律走行車の盗難防止技術に関する。
【背景技術】
【０００２】
自律走行モードで運行（例えば、無人自動運転）する車両は、乗客、特に、運転者をいくつかの運転関連の責任から解放させることができる。自律走行モードで運行される時、車両は、車両搭載センサーを使用して、各位置までナビゲーションすることにより、車両が最小限の人間-機械のインタラクションの場合、または乗客がいないいくつかの状況で走行することが可能になる。
【０００３】
自律走行モードで運行される車両（または、自律走行車（ＡＤＶ））は、貨物輸送に使用することができる。例えば、生活用品を各家庭に配送することができる。この目的のためのＡＤＶは、通常サイズが小さく、これら車両が都市と近郊の街を通り抜ける時に無人自動運転になる傾向がある。
【０００４】
そのため、貨物を輸送するためのＡＤＶは盗まれやすい。例えば、予期しない者が貨物をＡＤＶから持ち去る可能性があり、ひいてはＡＤＶまでも持っていってしまう可能性がある。
【発明の開示】
【発明が解決しようとする課題】
【０００５】
しかし、これらのＡＤＶに近付く者、その近くを移動する人のすべてが窃盗をするとは限らない。ＡＤＶの近くに現れた人は、人間障害物であるにすぎない可能性がある。人の行動に基づいて、状況を区別することなく警報を送信してしまうと、周辺の環境を干渉してしまう可能性があり、また、警報の対応を担当する人に不必要な負担をかけてしまうことになる。そのため、窃盗行動を効果的に検出できる技術が必要になる。
【課題を解決するための手段】
【０００６】
第１の態様において、本開示は、自律走行車の盗難防止のためのコンピュータ実装方法（computer-implemented method）を提供する。前記方法は、盗難感知モジュールによって複数のセンサーから移動オブジェクトのセンサーデータを受信するステップであって、前記移動オブジェクトは、貨物を輸送するための前記自律走行車の所定のアクセス範囲内にある人を示し、前記センサーデータは、前記移動オブジェクトの複数のイメージと前記自律走行車のリアルタイムの重量及び動きとを含む、ステップと、一組の既知の移動行動に従って、前記センサーデータに基づいて前記移動オブジェクトの移動行動を決定するステップと、前記移動行動に基づいて、前記人の意図が前記自律走行車から前記貨物のうちの少なくとも一部を持ち去ろうとするか否かを決定するステップと、前記人の意図が前記自律走行車から前記貨物のうちの少なくとも一部を持ち去ろうとするものであると決定したことに応答して、所定の目的地に警報を送信するステップと、を含む。
【０００７】
第２の態様において、本開示は、指令が記憶されている非一時的機械可読媒体を提供し、前記指令がプロセッサによって実行されると、プロセッサが上記第１の態様における方法を実行する。
【０００８】
第３の態様において、本開示は、システムを提供し、前記システムは、プロセッサと、プロセッサに接続されて指令を記憶するためのメモリとを含み、前記指令がプロセッサによって実行されると、プロセッサが上記第１の態様における方法を実行する。
【図面の簡単な説明】
【０００９】
本開示に係る実施形態は、添付図面の各図によって非制限的に例示され、図面の同じ参照記号は同様の素子を示す。
【図１】いくつかの実施形態に係るネットワークシステムのブロック図である。
【図２】いくつかの実施形態に係る自律走行車の例示的なブロック図である。
【図３Ａ】いくつかの実施形態に係る自律走行車とともに使用されるセンシングと計画システムの例示的なブロック図である。
【図３Ｂ】いくつかの実施形態に係る自律走行車とともに使用されるセンシングと計画システムの例示的なブロック図である。
【図４】一の実施形態に係る貨物を輸送するためのＡＤＶ中の例示的な盗難防止システムを示す。
【図５】一の実施形態に係る貨物を輸送するためのＡＤＶに盗難防止を行う例示的なプロセスを示す。
【図６】いくつかの実施形態に係るデータ処理システムを示すブロック図である。
【発明を実施するための形態】
【００１０】
以下で議論される詳細な説明を参照し、本開示の様々な実施形態及び態様を説明し、図面は上記様々な実施形態を示す。以下の説明と図面は、本開示についての説明であり、本開示を限定するものと解釈されるべきでない。本開示の様々な実施形態に対する全面的な理解を提供するために、多くの特定の詳細事項を説明する。しかし、いくつかの場合、本開示の実施形態に対する簡単な議論を提供するために公知のもの、または通常の詳細事項の説明は省略する。
【００１１】
本明細書で「一つの実施形態」または「実施形態」に対する言及は、上記実施形態と組み合わせて説明された特定の特徴、構造または特性は、本開示の少なくとも一つの実施形態に含まれることを意味する。本明細書の各部分に表示されるフレーズ「一つの実施形態において」は、すべて同じ実施形態を指すわけではない。
【００１２】
各実施形態に基づいて、本明細書において、自律走行車（ＡＤＶ）のための、具体的に貨物を輸送するためのＡＤＶの盗難防止システムと方法を述べる。
【００１３】
一つの実施形態において、盗難防止システムは各種センサーと盗難感知モジュールとを含む。盗難感知モジュールは、センサーから移動オブジェクトのセンサーデータを受信し、前記移動オブジェクトはＡＤＶの所定のアクセス範囲内にある人を表す。盗難感知モジュールは、リアルタイムでセンサーデータを分析し、一組の既知の移動行動に従って、センサーデータに基づいて移動オブジェクトの移動行動を決定する。盗難感知モジュールは、履歴イメージセットに由来のプロセスを使用して、人の意図がＡＤＶの貨物の少なくとも一部を持ち去ろうとするか否かを決定し、前記人のこのような意図の決定に応答して、所定目的地に警報を送信する。
【００１４】
一つの実施形態において、一組の既知の移動行動は、データベースに記憶された一つまたは複数のイメージセットによって表され、ここで、それぞれのイメージセットは既知の人の行動を表す。移動オブジェクトの移動行動を決定する場合に、盗難感知モジュールは、移動オブジェクトのそれぞれのイメージセットと、データベースに記憶（格納）されたイメージセットとを比較する。マッチする者を発見した場合に、盗難感知モジュールは、この人は更なる分析が必要である移動行動を有することを決定することができる。
【００１５】
一つの実施形態において、データベースには一組の既知の盗難記録が記憶（格納）され、前記盗難記録は、少なくとも一度は窃盗した人を示すブラックリストである。前記ブラックリストは、ブラックリストにおける人ごとの個人データと、少なくとも一枚の顔画像を含む。
【００１６】
センサーデータはＡＤＶにおける所定のアクセス範囲内にある人の顔画像を含んでもよい。センサーデータのうちの顔画像とブラックリストのうちの顔画像とがマッチ（一致）したことは、その人が少なくとも一度は窃盗（例えば、ＡＤＶから貨物を窃盗する）を実施したことがあることを示している。
【００１７】
一つの実施形態において、移動オブジェクトの更なる分析及び監視のための移動行動を識別した後、盗難感知モジュールは、「盗難」及び「非盗難」とラベル付けされたトレーニング履歴イメージセットに由来のアルゴリズムまたはプロセスを使用することができる。「盗難」とラベル付けされたイメージセットの中のそれぞれは、いずれも人間の窃盗行動を表し、「非盗難」とラベル付けされたイメージセットの中のそれぞれは、いずれも人間の非窃盗行動を表す。イメージセットのトレーニングは、リモートサーバー上で運行されている機械学習エンジンによって実行されてもよい。
【００１８】
一つの実施形態において、他の識別子（other indicators）の一つまたは複数は、履歴イメージセットに由来のプロセスと組み合わせて移動オブジェクトの意図を決定することができる。他の識別子は、一人がブラックリストに含まれていることと、前記人がＡＤＶの所定のアクセス範囲内に現れたためにＡＤＶの重量損失が所定の閾値（例えば、１キログラム）を超えることと、ＡＤＶの不規則な動き（erratic movement）はＡＤＶが持ち去られる可能性があることを示すこととを含む。
【００１９】
代替的な実施形態において、上記人がブラックリストに含まれている、またはＡＤＶの重量が所定の閾値以上減少した場合、盗難感知モジュールは、履歴イメージセットに由来のプロセスを使用していない状況下で上記人がＡＤＶから貨物を窃盗する可能性があると決定し、直ちに所定の目的地に警報を送信することができる。
【００２０】
ＡＤＶは、機械学習エンジンが移動オブジェクト（例えば、人）の移動行動を決定するために、所定のアクセス範囲内の移動オブジェクトの移動行動をそれぞれ記録し、移動オブジェクトの意図を決定するためのプロセスを最適化させることができる。
【００２１】
本明細書で述べた本開示の実施形態は、人を移動オブジェクトの例示とする。本開示の各実施形態は、他の移動オブジェクト（例えば、ロボット）の窃盗行動または潜在的な窃盗行動を検出するのに適用できることを理解すべきである。
【００２２】
自律走行車
図１は、本開示の一つの実施形態に係る自律走行車のネットワーク構成（network configuration）を示すブロック図である。図１を参照すると、ネットワーク構成１００は、ネットワーク１０２を介して一つまたは複数のサーバー１０３乃至サーバー１０４に通信的に接続可能な自律走行車１０１を含む。一つの自律走行車しか示されていないが、複数の自律走行車がネットワーク１０２を介して相互に接続、及び／またはサーバー１０３乃至サーバー１０４に接続することができる。ネットワーク１０２は、有線または無線のローカルエリアネットワーク（ＬＡＮ）、インターネットのような広域ネットワーク（ＷＡＮ）、セルラーネットワーク、衛星ネットワーク、またはこれらの組み合わせのような任意のタイプのネットワークであってもよい。サーバー１０３乃至サーバー１０４は、ネットワークやクラウドサーバー、アプリケーションサーバー、バックエンドサーバー、またはこれらの組み合わせのような任意のタイプのサーバー、またはサーバークラスタであってもよい。サーバー１０３乃至サーバー１０４は、データ分析サーバー、コンテンツサーバー、交通情報サーバー、地図及び関心地点（ＭＰＯＩ）サーバーまたは位置サーバーなどであってもよい。
【００２３】
自律走行車は自律走行モードに設定（configure）できる車両を指し、上記自律走行モードでの車両は、運転者からの入力が極めて少なくまたは入力がない場合にナビゲートされ、環境を通過する。これらの自律走行車は、車両の動作環境に関する情報を検出するように構成された一つまたは複数のセンサーを備えるセンサーシステムを含んでもよい。上記車両とそれに関連するコントローラは、検出された情報を使用してナビゲートされ、上記環境を通過する。自律走行車１０１は、手動モード、全自律走行モードまたは部分的自律走行モードで走行することができる。
【００２４】
一つの実施形態において、自律走行車１０１は、感知及び計画システム１１０と、車両制御システム１１１と、無線通信システム１１２と、ユーザインタフェースシステム１１３と、センサーシステム１１５とを含むが、これに限定されない。自律走行車１０１は、一般的な車両が備えているエンジン、ホイール、ハンドル、変速機などの一部の常用の部品をさらに含んでもよい。上記部品は、車両制御システム１１１及び／または感知及び計画システム１１０によって、例えば、加速信号またはコマンド、減速信号またはコマンド、ステアリング信号またはコマンド、制動信号またはコマンドなど、さまざまな通信信号及び／またはコマンドを使用して制御されてもよい。
【００２５】
部品１１０乃至部品１１５は、インターコネクタ、バス、ネットワークまたはこれらの組み合わせを介して相互に通信的に接続することができる。例えば、部品１１０乃至部品１１５は、コントローラエリアネットワーク（ＣＡＮ）バスを介して互いに通信的に接続することができる。ＣＡＮバスは、ホストコンピュータがなくてもアプリケーションでマイクロコントローラとデバイスが相互に通信できるように設計された車両のバス規格である。これは、本来は自動車内の電気配線を多重化するために設計されたメッセージベースのプロトコルであるが、多くの他の環境（other contexts）でも使用される。
【００２６】
また、図２を参照すると、一つの実施形態において、センサーシステム１１５は、単一または複数のカメラ２１１と、全地球測位システム（ＧＰＳ）ユニット２１２と、慣性測定ユニット（ＩＭＵ）２１３と、レーダーユニット２１４と、ライダー（ＬＩＤＡＲ）ユニット２１５とを含むが、これに限定されない。ＧＰＳユニット２１２は、自律走行車の位置に関する情報を提供するように動作できるトランシーバを含んでもよい。ＩＭＵユニット２１３は、慣性加速度に基づいて自律走行車の位置と向きの変化を感知することができる。レーダーユニット２１４は、無線信号によって自律走行車のローカル環境内のオブジェクトを感知するシステムを表してもよい。いくつかの実施形態において、レーダーユニット２１４は、オブジェクトを感知するほか、オブジェクトの速度及び／または進行方向を感知することもできる。ＬＩＤＡＲユニット２１５は、レーザーで自律走行車の位置する環境でのオブジェクトを感知することができる。ＬＩＤＡＲユニット２１５は、他のシステム構成要素を除くほか、一つまたは複数のレーザー源と、レーザースキャナーと、一つまたは複数の検出器とをさらに含んでもよい。カメラ２１１は、自律走行車の周辺環境の画像を捕捉するための一つまたは複数のデバイスを含んでもよい。カメラ２１１は、スチルカメラ及び／またはビデオカメラであってもよい。カメラは、例えば、カメラを回転及び／または傾斜プラットフォームに取り付けて機械的に移動することができる。
【００２７】
センサーシステム１１５は、ソナーセンサー（ｓｏｎａｒ  ｓｅｎｓｏｒ）、赤外線センサー、ステアリングセンサー、スロットルセンサー（ｔｈｒｏｔｔｌｅ  ｓｅｎｓｏｒ）、ブレーキングセンサー、及びオーディオセンサー（例えば、マイク）のような他のセンサーをさらに含んでもよい。オーディオセンサーは、自律走行車の周辺環境から音を捕捉するように構成されてもよい。ステアリングセンサーは、ハンドル（steering wheel）、車両のホイールまたはこれらの組み合わせのステアリング角度を感知するように構成されてもよい。スロットルセンサーとブレーキセンサーは、車両のスロットル位置とブレーキングの位置をそれぞれ感知するように構成されてもよい。状況によっては、スロットルセンサーとブレーキセンサーは、統合スロットル／ブレーキセンサーに統合されてもよい。
【００２８】
一つの実施形態において、車両制御システム１１１は、ステアリングユニット２０１と、スロットルユニット２０２（加速ユニットとも呼ばれる）と、制動ユニット２０３とを含むが、これに限定されない。ステアリングユニット２０１は、車両の方向または進行方向を調整するために使用される。スロットルユニット２０２は、モーターやエンジンの速度を制御するために使用され、モーターやエンジンの速度は車両の速度と加速度をさらに制御する。制動ユニット２０３は、摩擦を提供することにより車両のホイールまたはタイヤを減速させることで車両を減速させる。図２に示された構成要素は、ハードウェア、ソフトウェア、またはこれらの組み合わせで実装できることに注意すべきである。
【００２９】
図１を再び参照すると、無線通信システム１１２は、自律走行車１０１とデバイス、センサー、他の車両などの外部システムとの通信を可能にする。例えば、無線通信システム１１２は、単一または複数のデバイスと直接無線で通信したり、ネットワーク１０２を介してサーバー１０３〜１０４と通信する通信ネットワークを介して無線で通信したりすることができる。無線通信システム１１２は、任意のセルラー通信ネットワークまたは無線ＬＡＮ（ＷＬＡＮ）を使用することができ、例えば、ＷｉＦｉ（登録商標）を使用して、他の構成要素やシステムと通信する。無線通信システム１１２は、例えば、赤外線リンク、ブルートゥース（登録商標）などを使用して、デバイス（例えば、乗客の移動デバイス、ディスプレイデバイス、車両１０１のスピーカー）と直接通信することができる。ユーザーインターフェースシステム１１３は、例えば、キーボード、タッチスクリーンディスプレイデバイス、マイク及びスピーカーなどを含む車両１０１内で実装された周辺機器の一部にすることができる。
【００３０】
自律走行車１０１の機能の一部または全部は、感知及び計画システム１１０によって制御または管理することができ、特に自動走行モードで動作する場合に制御または管理することができる。感知及び計画システム１１０は、必要なハードウェア（例えば、プロセッサ、メモリ、記憶装置）と、ソフトウェア（例えば、オペレーティングシステム、計画と、及びルーティングプロセス）とを含み、センサーシステム１１５、制御システム１１１、無線通信システム１１２及び／またはユーザインタフェースシステム１１３から情報を受信し、受信された情報を処理し、出発点から目的地までのルートまたはパスを計画し、続いて計画と制御情報に基づいて車両１０１を走行するようにする。代わりに、感知及び計画システム１１０は車両制御システム１１１と統合することができる。
【００３１】
例えば、乗客であるユーザーは、例えば、ユーザーインターフェイスなどを介してコースの出発位置と目的地を指定することができる。感知及び計画システム１１０は、コースの関連データを取得する。例えば、感知及び計画システム１１０は、ＭＰＯＩサーバーから位置とルート情報を取得することができる。上記ＭＰＯＩサーバーは、サーバー１０３乃至サーバー１０４の一部であってもよい。ロケーションサーバーは、位置サービスを提供し、ＭＰＯＩサーバーは、地図サービスと一部の位置のＰＯＩを提供する。代わりに、このような位置とＭＰＯＩ情報は、感知及び計画システム１１０の永久記憶装置にローカルキャッシュされてもよい。いくつかの実施形態において、感知及び計画システム１１０は、ＭＰＯＩ情報（例えば、地図データ）を備えていない場合がある。例えば、感知及び計画システム１１０は、他の環境や地理的領域／場所のための地図データを持たない場合があり、感知及び計画システム１１０は、自律走行車１０１の現在走行している又は位置している環境や地理的領域／位置のための地図データ（例えば、感知及び計画システム１１０は、都市の地図データを備えるが、他の都市の地図データを備えていない場合がある）を備えていない場合がある。別の実施形態において、感知及び計画システム１１０は、任意の地図データやＭＰＯＩ情報を備えていない可能性がある（例えば、感知及び計画システム１１０には、任意の地図データが記憶されていない可能性がある）。
【００３２】
自律走行車１０１がルートに沿って移動する場合、感知及び計画システム１１０は、交通情報システムまたはサーバー（ＴＩＳ）からリアルタイムの交通情報を取得することもできる。サーバー１０３乃至サーバー１０４は、第３者のエンティティによって操作されてもよいことに注意すべきである。代りに、サーバー１０３乃至サーバー１０４の機能は、感知及び計画システム１１０と統合することができる。リアルタイムの交通情報、ＭＰＯＩ情報と位置情報とセンサーシステム１１５によって検出または感知されたリアルタイムのローカル環境データ（例えば、障害物、オブジェクト、周辺車両）に基づいて、感知及び計画システム１１０は、最適ルートを計画し、また、計画されたルートに沿って、例えば、制御システム１１１を介して車両１０１を駆動し、安全かつ効率的に指定された目的地に到着することができる。
【００３３】
サーバー１０３は、さまざまなクライアントのデータ分析サービスを実行するためのデータ分析システムであってもよい。一つの実施形態において、データ分析システム１０３は、データコレクタ１２１と、機械学習エンジン１２２とを含む。データコレクタ１２１は、様々な車両（自律走行車や人類運転者が運転する普通車）から走行統計データ１２３を収集する。走行統計データ１２３は、発行された走行コマンド（例えば、スロットル、ブレーキ、ステアリングコマンド）と、異なる時点で車両のセンサーによって捕捉された車両の応答（例えば、速度、加速、減速、方向）を示す情報とを含む。走行統計データ１２３は、例えば、ルート（出発位置と目的地の位置を含む）、ＭＰＯＩ、道路状況、気象条件などの異なる時点での走行環境を説明する情報をさらに含んでもよい。一つの実施形態において、走行統計データは、カメラなどのようなセンサーにより捕捉された人々の特定の行動や動きをさらに含んでもよい。これらの人々の一部は、貨物や車両を盗んだり、盗難を企てたりする可能性がある。
【００３４】
走行統計データ１２３に基づいて、機械学習エンジン１２２は、様々な目的のためにルールセット、アルゴリズム及び／または予測モデル１２４を作成し、トレーニングする。一つの実施形態において、機械学習エンジン１２２は、走行統計データ１２３に基づいて、一組の盗難検出規則、アルゴリズムまたは予測モデル１２４を作成またはトレーニングして、特定の人の行動がこの人が窃盗を行う可能性が高いことを示すか否か決定または予測する。過去に収集された一組の既知の窃盗の既知の行動に基づいて、アルゴリズム１２４を生成またはトレーニングすることができる。そして、例えば図３Ａに示された盗難検出アルゴリズム３１３の一部のような盗難検出アルゴリズム１２４をＡＤＶにアップロードしてもよく、上記盗難検出アルゴリズム１２４は、ＡＤＶに接近する人がＡＤＶの貨物を持ち去る可能性の有無をリアルタイムで検出することができる。
【００３５】
図３Ａ及び図３Ｂは、一つの実施形態に係る自律走行車で使用される感知及び計画システムを例示するブロック図である。システム３００は、図１の自律走行車１０１の一部として実装されてもよく、感知及び計画システム１１０と、制御システム１１１と、センサーシステム１１５とを含むが、これに限定されない。図３Ａ〜図３Ｂを参照すると、感知及び計画システム１１０は、測位モジュール３０１と、感知モジュール３０２と、予測モジュール３０３と、決定モジュール３０４と、計画モジュール３０５と、制御モジュール３０６と、ルーティングモジュール３０７と、盗難検出モジュール３０８とを含むが、これらに限定されない。
【００３６】
モジュール３０１乃至モジュール３０８の一部または全部は、ソフトウェア、ハードウェア、またはこれらの組み合わせで実装されることができる。例えば、これらのモジュールは、永久記憶装置３５２に実装され、メモリ３５１にロードされ、また、一つまたは複数のプロセッサ（図示せず）によって実行されることができる。これらのモジュールのうちの一部または全部は、図２の車両制御システム１１１の一部または全部のモジュールに通信可能に接続し、または統合することができることを注意すべきである。モジュール３０１から３０８のうちのいくつかは統合モジュールとして一緒に統合されてもよい。
【００３７】
測位モジュール３０１は、（例えば、ＧＰＳユニット２１２を活用して）自律走行車３００の現在位置を決定し、ユーザーのコースまたはルートに係るデータを管理する。測位モジュール３０１（地図及びルートモジュールとも呼ばれる）は、ユーザーのコースまたはルートに係るデータを管理する。ユーザーは、例えば、ユーザーインターフェイスを介してログインしてコースの開始位置と目的地を指定することができる。測位モジュール３０１は、地図及びルート情報３１１のような自律走行車３００の他の構成要素と通信して、コースの関連データを取得する。例えば、測位モジュール３０１は、ロケーションサーバーと地図とＰＯＩ（ＭＰＯＩ）サーバーから位置とルート情報を取得することができる。ロケーションサーバーは、位置情報サービスを提供し、ＭＰＯＩサーバーは、地図サービスと特定の位置のＰＯＩを提供し、地図とルート情報３１１のいくつかのキャッシュとして使用することができる。自律走行車３００がルートに沿って移動する場合、測位モジュール３０１は交通情報システムまたはサーバーからリアルタイムの交通情報を取得することもできる。一つの実施形態において、地図及びルート情報３１１は、永久記憶装置３５２に予め記憶されてもよい。例えば、地図及びルート情報３１１は、永久記憶装置３５２に予めダウンロードまたは複製されていてもよい。
【００３８】
センサーシステム１１５によって提供されるセンサーデータと測位モジュール３０１によって取得される測位情報に基づいて、感知モジュール３０２は、周辺環境の感知を決定する。感知情報は、一般の運転者が運転者のいる車両の周囲で感知したものを表すことができる。感知は、例えば、オブジェクトの形を利用した車線構成（例えば、直線または曲線の車線）、信号機の信号、別の車両の相対位置、歩行者、建物、横断歩道またはその他の交通関連の標識（例えば、一時停止標識、譲れ標識（yield signs））などを含んでもよい。
【００３９】
感知モジュール３０２は、コンピュータ視覚システムまたはコンピュータ視覚システムの機能を含み、一つまたは複数のカメラによって捕捉された画像を処理し、分析するこれにより、自律走行車の環境中のオブジェクト及び／または特徴を識別する。上記オブジェクトは、信号機（traffic signals）、道路境界、他の車両、歩行者、及び／または障害物などを含むことができる。コンピュータ視覚システムは、オブジェクトの識別アルゴリズム、ビデオ追跡及び他のコンピュータ視覚技術を使用することができる。いくつかの実施形態において、コンピュータ視覚システムは、環境地図を作成して、オブジェクトを追跡し、オブジェクトの速度などを推定することができる。感知モジュール３０２は、レーダー及び／またはＬＩＤＡＲなどの他のセンサーによって提供される他のセンサーデータに基づいてオブジェクトを検出することもできる。
【００４０】
オブジェクトのそれぞれに対して、予測モジュール３０３は、このような状況においてオブジェクトがどのように動作するかを予測する。予測は感知データによって実行され、上記感知データは、一組の地図／ルート情報３１１と交通ルール３１２を考慮して、その時点での走行環境を感知するものである。例えば、オブジェクトが反対方向の車両であり、現在の走行環境は交差点を含み、予測モジュール３０３は、車両が直進するかまたは曲がるかを予測する。感知データが交差点に信号機がないと示す場合、予測モジュール３０３は、車両が交差点に進入する前に完全に停止しなければならない可能性があると予測することができる。感知データは、車両が現在左折専用車線または右折専用車線に位置することを示す場合、予測モジュール３０３は、車両がそれぞれ左折または右折する可能性が高いと予測することができる。いくつかの実施形態において、自律走行車が環境や地理的領域／位置を通過する場合、上記の環境または地理的領域／場所のための地図とルート情報３１１をその場で生成（例えば、感知モジュール３０２によって生成）することができ、以下詳細に議論される通りである。
【００４１】
それぞれのオブジェクトに対して、決定モジュール３０４は、オブジェクトをどのように処理するのかを決定する。例えば、特定のオブジェクト（例えば、横断ルート内の別の車両）及びオブジェクトを記述するメタデータ（例えば、速度、方向、回転角度）に対して、決定モジュール３０４は、上記オブジェクト遇うときに如何に対応するか（例えば、追い越し、道を譲り、停止、追い抜き）を決定する。決定モジュール３０４は、交通ルールまたは走行ルール３１２のようなルールセットに基づいてそのような決定を下すことができ、上記ルールセットは永久的な記憶装置３５２に記憶されてもよい。
【００４２】
各種移動障害物／対象は、予期せずに移動する可能性がある。例えば、たとえ歩行者が経路に沿って移動した場合でも、歩行者が突然方向を変更したり、（例えば、左に曲がったり）、または加速／減速したりする可能性がある。これは、移動オブジェクトと衝突、衝突または衝突を防止するために、移動オブジェクトのルートを予測しようとするときに問題を引き起こす可能性がある。そのため、移動障害物が移動する可能性のある場所を含む領域を決定（例えば、計算（calculate）、見積もり（compute）、取得など）することは有用である。これは、ＡＤＶは移動障害物を回避する可能性を高めるように許すことができる。  
【００４３】
ルーティングモジュール３０７は、出発点から目的地ポイントまでの一つまたは複数のルートまたは経路を提供するように構成されている。開始位置から目的地の位置までの特定のコース（例えば、ユーザから受信されたコース）に対して、ルーティングモジュール３０７は、ルートと地図情報３１１を取得し、開始位置から目的地の位置まで到達するためにすべての可能なルートまたは経路を決定する。一部の実施形態において、ルートと地図情報３１１は、感知モジュール３０２によって生成することができ、以下、より詳細に議論する。ルーティングモジュール３０７は、開始位置から目的地の位置までの各ルートを決定する、地形図の形式の基準線（reference line）を作成することができる。基準線は、他の車両、障害物、交通状況など、他の車両から干渉を受けない理想的なルートまたはパスを指す。つまり、道路上の他の車両、歩行者、障害物がない場合、ＡＤＶは基準線を厳密に正確または従わなければならない。そして、地形図は決定モジュール３０４及び／または計画モジュール３０５に提供される。他のモジュールによって提供された他のデータに基づいて、例えば、測位モジュール３０１からの交通状況、感知モジュール３０２によって検出された走行環境と予測モジュール３０３によって予測された交通状況に基づいて、決定モジュール３０４及び／または計画モジュール３０５は、最適なルートの一つを選択し修正するように、すべての可能なルートを確認する。現在の時点での特定走行環境によって、ＡＤＶを制御するための実際のパスまたはルートは、ルーティングモジュール３０７によって提供される基準線に近いかまたは異なる場合がある。
【００４４】
計画モジュール３０５は、感知された各オブジェクトの決定に基づいて、ルーティングモジュール３０７によって提供される基準線に基づいて自律走行車のパスまたはルートと走行パラメータ（例えば、距離、速度、及び／または回転角度）を計画する。つまり、所定のオブジェクトに対して、決定モジュール３０４は、上記オブジェクトに対して何をするかを決定し、計画モジュール３０５は、どのようにするかどうかを決定する。例えば、所定のオブジェクトに対して、決定モジュール３０４は、上記オブジェクトを追い抜くと決定することができ、一方、計画モジュール３０５は、上記オブジェクトを左側から追い抜くかまたは右側から追い抜くかを決定することができる。計画と制御データは、計画モジュール３０５によって生成され、車両３００が次の移動サイクル（例えば、次のルート／経路区間）にはどのように移動するかを記述する情報を含む。例えば、計画および制御データは、車両３００が３０マイル／時間（ｍｐｈ）の速度で１０メートル移動し、その後２５ｍｐｈの速度で右側車線に変更するように指示することができる。
【００４５】
制御モジュール３０６は、計画および制御データに基づいて、計画および制御データにより限定されたルートまたは経路に従って、適切なコマンドまたは信号を車両制御システム１１１に送信することにより、自律走行車を制御し運転する。上記計画および制御データは、経路またはルートに沿って異なる時点で適切な車両設置または運転パラメータ（例えば、スロットル、制動、およびターニングコマンド）を使用して車両をルートまたは経路の第１の地点から第２の地点まで運転するのに十分な情報を含む。
【００４６】
一つの実施形態において、計画段階は、例えば、時間間隔が１００ミリ秒（ｍｓ）の周期など、複数の計画周期（コマンドサイクルともいう）で実行される。計画周期またはコマンドサイクルのそれぞれについて、計画および制御データに基づいて一つまたは複数の制御コマンドを発する。すなわち、１００ｍｓごとに、計画モジュール３０５は、例えば、目標位置およびＡＤＶが目標位置に到達するのに必要な時間を含む次のルート区間または経路区間を計画する。或いは、計画モジュール３０５は、更に具体的な速度、方向および／または操舵角などを規定することもできる。一実施形態では、計画モジュール３０５は、次の所定の期間（例えば、５秒）のためにルート区間または経路区間を計画する。各計画サイクルについて、計画モジュール３０５は、前の周期で計画された目標位置に基づいて、現在のサイクル（例えば、次の５秒）のための目標位置を計画する。次に、制御モジュール３０６は、現在のサイクルの計画および制御データに基づいて、一つまたは複数の制御命令（例えば、スロットル、制動、ステアリング制御コマンド）を生成する。
【００４７】
なお、決定モジュール３０４および計画モジュール３０５は、集積モジュールとして一体化されてもよい。決定モジュール３０４／計画モジュール３０５は、自律走行車の運転経路を決定するために、ナビゲーションシステムまたはナビゲーションシステムの機能を具備することができる。例えば、ナビゲーションシステムは、自律走行車が下記の経路に沿って移動することを実現するための一連の速度および進行方向を決定することができる。前記経路では、自律走行車が最終的な目的地に通じる走行車線に基づく経路に沿って進行するとともに、感知された障害物を実質的に回避できる。目的地は、ユーザインターフェースシステム１１３を介したユーザの入力に応じて設定することができる。ナビゲーションシステムは、自律走行車が走行していると同時に走行経路を動的に更新することができる。ナビゲーションシステムは、自律走行車のための運転経路を決定するために、ＧＰＳシステムおよび一つまたは複数の地図からのデータ（感知モジュール３０２によって生成されるか、または予め保存／ダウンロードされる）を組み込むことができる。
【００４８】
決定モジュール３０４／計画モジュール３０５は、自律走行車の環境における潜在的な障害物を認識、評価、回避または他の方法で追い抜くための、衝突防止システムまたは衝突防止システムの機能を更に含むことができる。例えば、衝突防止システムは、制御システム１１１における一つまたは複数のサブシステムを動作させることで、ステアリング動作、カーブ走行動作、制動動作などを行うことによって、自律走行車のナビゲーション中の変更を実現することができる。衝突防止システムは、周囲の交通モード、道路状況などに応じて実現可能な障害物回避動作を自動的に決定することができる。衝突防止システムは、自律走行車が方向変更して進入しようとする隣接領域において、他のセンサーシステムにより車両、建築障害物などが検出された時にステアリング動作を行わないように構成されることができる。衝突防止システムは、使用可能で且つ自律走行車の乗員の安全性を最大化させる動作を自動的に選択することができる。衝突防止システムは、自律走行車の客室内に最小値の加速度を発生させると予測される回避動作を選択することができる。
【００４９】
ルーティングモジュール３０７は、例えば、地図情報（例えば、道路区間の情報、道路区間の車線の情報と車道から縁石までの距離などの情報）から参照ルートを生成することができる。例えば、道路は｛Ａ、Ｂ、Ｃ｝セクションまたは区間に分けて、三つの道路区間を示すことができる。道路区間Ａの三つの車線は、｛Ａ１、Ａ２、及びＡ３｝で列挙することができる。参照ルートに沿う基準点を生成することにより参照ルートを生成する。例えば、車両車線に対して、ルーティングモジュール３０７は、地図データ（感知モジュール３０２によって生成されるか、または予め保存／ダウンロードされる）により提供される車両車線の二つの対向する縁石または端部の中間点を接続することができる。異なる時点で車両が車線で走行することを示す車両の収集されたデータポイントの中間点と機械学習データに基づいて、ルーティングモジュール３０７は、車両車線の所定アプローチ内で収集したデータポイントのサブセットを選択し、収集したデータポイントのサブセットの中間点に基づいて平滑化関数を適用することにより、基準点を算出することができる。
【００５０】
基準点または車線基準点に基づいて、ルーティングモジュール３０７は、基準点に対して補間により基準線を生成、生成された基準線を、車両車線を制御するためのＡＤＶの基準線とする。いくつかの実施形態において、基準線を表示する基準点のリストと道路区間リストは、リアルタイムでＡＤＶにアップロードされて、ＡＤＶがＡＤＶの地理位置と走行方向に沿って基準線を作成するようにする例えば、一つの実施形態では、ＡＤＶは近づく前方の道路区間の経路区間識別子及び／またはＡＤＶに基づいたＧＰＳの位置を表示することを通じて、パス区間のためのルーティングサービスを要求して基準線を生成する。パス区間識別子に基づいて、ルーティングサービスは、ＡＤＶの基準点リストに返され、前記基準点のリストは、注視する道路区間のすべての車線の基準点を含む。ＡＤＶは、パス区間のための車線の基準点を捜索して、車両車線のＡＤＶを制御するための基準線を作成することができる。
【００５１】
盗難感知モジュール３０８は、センサーシステム１１５により収集されたセンサーデータを分析し、ＡＤＶの所定のアクセス範囲内にある人が、人間障害物であるか、またはＡＤＶから盗みを働く者なのか、またはＡＤＶを丸ごと持ち去る者なのかを検出するように構成される。盗難感知モジュール３０８は、人の行動に応じて、一組の盗難検出アルゴリズムまたは盗難予測モジュール３１３を使用して、盗難検出を実行することができる。
【００５２】
盗難防止システム
図４は、一つの実施形態に係る貨物を輸送するためのＡＤＶの例示的な盗難防止システムを示す。図４に示されたように、盗難防止システム４００は、ＡＤＶ１０１に設けることができる。一つの実施形態において、ＡＤＶ１０１は、例えば、卸売業者から小売まで、または食料品雑貨店から個人の家までの貨物輸送に用いることができる。
【００５３】
一つの実施形態において、盗難防止システム４００は、センサーシステム１１５と、警報器４１５と、盗難感知モジュール３０８と、データベース４１８とを含んでもよい。センサーシステム１１５は、複数のセンサーを含んでもよく、例えば、一つまたは複数のカメラ２１１、重量計４１１（例えば、圧力センサー）と動きセンサー４１３（移動（motion）センサーでも呼ばれ、例えば加速度計、ＩＭＵ）である。
【００５４】
カメラ２１１は、ＡＤＶの所定のアクセス範囲内の移動オブジェクト（例えば、人）のデータを捕捉するように構成される。捕捉されたデータは、デジタルイメージ、ビデオ、及びオーディオを含む複数のフォーマットで表してもよい。一つまたは複数の要素に基づいて、ＡＤＶの所有者のニーズ、ＡＤＶが通常動作している環境、及び同じエリアで動作しているＡＤＶ及び類似のＡＤＶが以前に捕捉された移動オブジェクトの活動を含む所定のアクセス範囲を設定することができる。例えば、カメラはＡＤＶの５メートルの範囲内で移動オブジェクトのデータを捕捉するように構成さてもよい。
【００５５】
重量計４１１は、ＡＤＶ１０１に装着され、ＡＤＶの重量をリアルタイムで検出することができる。例えば、重量計４１１は、ＡＤＶの各部位に設置された一つまたは複数の圧力センサーを含み、ＡＤＶの重量変化を検出することができる。動きセンサー４１３は、加速度計のようにＡＤＶの動きをリアルタイムで検出することができる。ＡＤＶの動きまたは重量のリアルタイムのデータは、単独で使用し、またはカメラ２１１を介して捕捉されたデータと組み合わせて使用して、ＡＤＶの所定のアクセス範囲内の移動オブジェクトの潜在的な窃盗行動を検出することができる。
【００５６】
警報器４１５は、ＡＤＶに設置された周辺機器であり、大きな音を発して予定目的地へ通知を送信するものであってもよい。一つの実施形態において、警報器４１５は、大きな音を発する警報ラッパを含んでもよい。警報器４１５は、ネットワークインターフェイスに接続され、警報ごとの関連データを警報応答センターに送信することができる。各警報に関連するデータは、移動オブジェクト（例えば、人）の顔画像と、窃盗行動に係るイメージセットと、窃盗行動の発生位置を示すＧＰＳ信号を含むことができる。警報器４１５は、ＡＤＶの不規則動きが検出された場合、例えばＡＤＶがまるごと持ち去った動きを示す場合、ネットワークを介してＧＰＳ信号やイメージを連続的に警報応答センターに送信することができる。
【００５７】
一つの実施形態において、データベース４１８は、盗難記録４２７と、イメージセット４２９と、捕捉されたセンサーデータ４３１とを含む異なるタイプのデータを記憶（格納）するのに用いられることができる。各種のタイプのデータは、いずれも１つまたは複数のリストに記憶（格納）することができる。盗難記録４２７は、少なくとも一度の窃盗を働いた人を含むブラックリストを示すようにしてもよい。上記ブラックリストは、ブラックリストにおける人の個人データと、少なくとも一枚の顔イメージとを含む。イメージセット４２９は、人の移動行動を記述する一つまたは複数のイメージセットを含むことができ、盗難検出ルールまたはアルゴリズム３１３の一部を構成するようにしてもよい。センサーデータ４３１は、所定の時間帯内（例えば、過去６ヶ月以内）でセンサーによって捕捉されたすべてのセンサーデータを含んでもよい。
【００５８】
一つの実施形態において、センサーデータ４３１は、イメージセット４１９を更新するのに用いられることができ、機械学習エンジン１２２により、可能な行動を検出するためのアルゴリズムを構成し、またはこの種の目的のための従来のアルゴリズムを最適化するのに用いられ、上記アルゴリズムは、盗難検出アルゴリズムまたはモジュール１２４またはアルゴリズム３１３を更新するのに用いられることができる。
【００５９】
設定可能な時間間隔で盗難記録４２７とイメージセット４２９のリストを記憶（格納）しリモートデータベースと同期して、一つまたは複数の所定のエリアで動作されている他のＡＤＶの新しく作成された盗難記録とイメージセットを利用して、盗難記録４２７とイメージセット４２９とを更新することができる。
【００６０】
図４に示されたように、盗難感知モジュール３０８は、様々なモジュールを含むことができ、顔感知モジュール４１７と、行動検出モジュール４１９と、行動判断モジュール４２１と、警報制御モジュール４２３と、センサーデータレコーダモジュール４２５とを含むことができる。これらのモジュールのうちのそれぞれは、いずれもＡＤＶ内のコンピューティングデバイス上で実行されるソフトウェアモジュールであってもよい。一つの実施形態において、コンピューティングデバイスは、Ｌｉｎｕｘ（登録商標）オペレーティングシステムがインストールされた産業用パーソナルコンピュータ（ＩＰＣ）であってもよい。代りに、モジュール４１７乃至モジュール４２５のうちの少なくとも一部は、ハードウェアまたはファームウェアで実現される。なお、具体的なアプリケーションに応じて、これらのモジュールのうちの少なくとも一部または全部は、より少ないモジュールまたはモジュールの一つに集積することができる。
【００６１】
カメラ２１１は、センサーデータを提供して顔感知モジュール４１７及び行動検出モジュール４１９に供してもよい。顔感知モジュール４１７は、人の画像データを事前に処理し、ブラックリストからこの人の顔の特徴を捜索してマッチングをすることができる。マッチしたものが見つかった場合、警報制御モジュール４２３にフラグを送信し、前記警報制御モジュール４２３は、直ちに警報を送信するように警報器４１５に促し、または警報４１５が警報を送信する前に一つまたは複数の付加的な窃盗の識別子を待ち受ける。行動検出モジュール４１９は、捕捉された人のイメージセットを使用して、捕捉されたイメージセットとデータベース４１８中のイメージセット４２９中のイメージセットとマッチする者が存在するか否かを決定することができる。イメージセットがマッチした者は、この者が更なる分析が必要な移動行動を実行したことを示す。
【００６２】
一つの実施形態において、このような移動行動が検出された後、行動判断モジュール４２１は、トレーニング履歴イメージセットに由来のプロセスまたはアルゴリズムを使用して、移動行動に基づいて、この人がＡＤＶの貨物の一部を持ち去る可能性があるか否かを決定する。一つの実施形態において、イメージ及び／または他のセンサーデータ（例えば、圧力センサーデータは、加速度計データ）から一組の特徴を抽出することができる。上記一組の特徴を盗難予測モジュールにフィードバックして、これらの行動が所定の窃盗行動に係るか否かを決定するようにする。一組の過去の既知の窃盗行動を使用して、盗難予測をトレーニングしたりして、またはモジュールを決定することができる。
【００６３】
説明的な例示として、人が手ぶらでＡＤＶに接近し、手に貨物を一個持ってＡＤＶを離れていくイメージセットを表示することにより、この人の更なる分析が必要であると認識された移動行動を示す場合、行動判断モジュール４２１の使用するアルゴリズムまたはプロセスは、この人の意図がＡＤＶの貨物の少なくとも一部を持ち去ることを決定する。
【００６４】
一つの実施形態において、一つまたは複数の付加的な識別子は、単独で使用するか、またはアルゴリズムまたはプロセスと組み合わせて使用することができ、移動行動に基づいてこの人の意図を決定する。
【００６５】
例えば、更なる分析が必要である人の移動行動が検出された後、行動検出モジュール４１９が重量計４１１から、ＡＤＶの重量損失が所定の閾値を超えたことを示すリアルタイム重量データを受信すると、行動検出モジュール４１９は、この人の意図がＡＤＶの貨物の少なくとも一部を持ち去ろうとすることを決定することができ、警報制御モジュール４２３に警報を送信するように指示することができる。このほかに、警報メッセージは、例えば、法的執行機関またはＡＤＶオペレータ組織のような集中型の施設に送信されてもよい。
【００６６】
一つの実施形態において、この人が窃盗の意図を決定するための他の識別子は、この人がブラックリストに含まれていることと、ＡＤＶの不規則動きはＡＤＶが持ち去られる可能性があることを示すこととを含んでもよい。例えば、人が態度不明な方法で車両に接近し、すなわち、車両にゆっくり接近する同時に周りをのぞいたり歩き回わったりする場合、この人は車両の所有者または権利のある者ではない可能性がある。他方で、この人がまっすぐに車に向かって接近すると、この特定の人は、所有者または権利のある者である可能性がある。この人が実行する他の動作に従って、このような行動を用いて、これらの動作が窃盗の動作に関連するか否かを決定する。
【００６７】
いくつかの状況で、車両から貨物を運んで行った人は、窃盗ではない可能性もある。この人は車から荷物を卸す権利のある者である可能性もある。盗難検出システムは、ある人が貨物を運んで行ったという事実のみに依存しないようにすることができる。上記状況に応じて捕捉したすべての行動データに従って決定する必要がある。捕捉された人の動作や動きのイメージから一組の特徴を抽出して、この人の行動を決定することができる。特徴を分析して結論を得ることができる。一つの実施形態において、抽出された上記一組の特徴は、機械学習エンジンによって生成された盗難予測モジュールにフィードバックされ、このような行動が窃盗の動作を実行する可能性があるか否かを予測する。上述したように、例えば、機械学習エンジン１２２のような機械学習エンジンを利用して、大量のオフラインの窃盗の実行トレーニングデータに基づいて、盗難予測モジュールをトレーニングし及び生成することができる。
【００６８】
図５は、一つの実施形態に係る貨物を輸送するためのＡＤＶの盗難防止の例示的なプロセスを示す。プロセス５００は、処理ロジックによって実行され、上記処理ロジックは、ソフトウェア、ハードウェア、またはそれらの組み合わせを含むことができる。図５に示されたプロセス５００は、図４で述べた例示的な盗難防止システム（例えば、盗難感知モジュール３０８）により実行されてもよい。
【００６９】
図５に示されたように、動作５１１において、ＡＤＶの中の盗難感知モジュールは、複数のセンサーから移動オブジェクトのセンサーデータを受信し、上記移動オブジェクトは、貨物を輸送するためのＡＤＶの所定のアクセス範囲内にある人を示す。センサーデータは、センサーによって捕捉された移動オブジェクトの一連のイメージを含むことができる。
【００７０】
動作５１３において、盗難感知モジュールは、一組の既知の移動行動に従って、センサーデータに基づいて移動オブジェクトの移動行動を決定する。移動行動は、更なる分析が必要である移動行動を移動オブジェクトが実行したことを示す。移動行動を決定するとき、盗難感知モジュールは、センサーデータ中のイメージセットとデータベースに記憶された一つまたは複数のイメージセットとの間のマッチングを検索することができる。ここで、イメージセットは、一組の既知の行動を示す。データベースは、設定可能な固定の時間間隔でリモートデータベースと同期してアップデート情報を取得することができる。
【００７１】
動作５１５において、この人が更なる分析が必要である移動行動を実行した移動行動を検出した後、盗難感知モジュールは、上記移動行動に基づいて、この人の意図がＡＤＶの貨物の少なくとも一部を持ち去ろうとするか否かを決定する。このような意図を決定した場合、盗難感知モジュールは、「窃盗」と「非窃盗」に分類されたイメージセットのトレーニング履歴イメージセットに由来のアルゴリズムまたはプロセスを使用することができる。代りに、盗難感知モジュールは、単一または複数の付加的な識別子を使用することができ、上記識別子は、人がブラックリストに含まれていること、ＡＤＶの顕著な重量損失及び／またはＡＤＶの不規則動きはＡＤＶが持ち去ることを示すことを含む。
【００７２】
動作５１７において、盗難感知モジュールは、この人の意図がＡＤＶの貨物の少なくとも一部を持ち去ろうとすることを決定したことに応答して、警報制御モジュールが所定目的地に警報を送信するように指示する。
【００７３】
図６は、本開示の一実施形態と組み合わせて使用されるデータ処理システムを例示的に示すブロック図である。例えば、システム１５００は、上記プロセス又は方法のいずれか（例えば、図１の感知及び計画システム１１０、及びサーバー１０３〜１０４のいずれか）を実行する上記任意のデータ処理システムを示してもよい。システム１５００は、複数の異なる構成要素を含んでもよい。これらの構成要素は、集積回路（ＩＣ）、集積回路の一部、分散型電子装置又は回路基板（例えば、コンピュータシステムのマザーボード又はアドインカード）に適用された他のモジュール、又は他の方式でコンピュータシステムのシャシーに組み込まれた構成要素として実現することができる。
【００７４】
さらに、システム１５００は、コンピュータシステムの複数の構成要素の高レベルビューを示すことを目的とする。しかしながら、いくつかの実現形態では、付加的構成要素が存在する場合があることを理解すべきである。また、他の実現形態において示される構成要素が異なる構成を有してもよい。システム１５００は、デスクトップコンピュータ、ラップトップコンピュータ、タブレットコンピュータ、サーバー、携帯電話、メディアプレーヤー、パーソナルディジタルアシスタント（ＰＤＡ）、スマート腕時計、パーソナルコミュニケーター、ゲーム装置、ネットワークルータ又はハブ、無線アクセスポイント（ＡＰ）又はリピーター、セットトップボックス、又はそれらの組合せを示してもよい。また、単一の機器又はシステムのみを示したが、用語「機器」又は「システム」は、さらに、独立又は共同で１つ（又は複数）のコマンドセットを実行することにより本明細書に説明される任意の１種又は複数種の方法を実行する機器又はシステムの任意のセットを含むことを理解すべきである。
【００７５】
一実施形態において、システム１５００は、バス又はインターコネクタ１５１０によって接続されたプロセッサ１５０１、メモリ１５０３及び装置１５０５〜１５０８を備える。プロセッサ１５０１は、単一のプロセッサコア又は複数のプロセッサコアを含む単一のプロセッサ又は複数のプロセッサを示してもよい。プロセッサ１５０１は、マイクロプロセッサ、中央処理装置（ＣＰＵ）等のような１つ又は複数の汎用プロセッサを示してもよい。より具体的には、プロセッサ１５０１は、複雑コマンドセット計算（ＣＩＳＣ）マイクロプロセッサ、縮小コマンドセットコンピュータ（ＲＩＳＣ）マイクロプロセッサ、超長コマンド語（ＶＬＩＷ）マイクロプロセッサ、又は他のコマンドセットを実現するプロセッサ、又はコマンドセットの組合せを実現するプロセッサであってもよい。プロセッサ１５０１は、さらに、専用集積回路（ＡＳＩＣ）、セルラー又はベースバンドプロセッサ、フィールドプログラマブルゲートアレイ（ＦＰＧＡ）、デジタル信号プロセッサ（ＤＳＰ）、グラフィックプロセッサ、ネットワークプロセッサ、通信プロセッサ、暗号プロセッサ、コプロセッサ、組み込みプロセッサのような１つ又は複数の専用プロセッサ、あるいはコマンド処理可能な任意の他のタイプのロジックであってもよい。
【００７６】
プロセッサ１５０１（超低電圧プロセッサのような低電力マルチコアプロセッサソケットであってもよい）は、前記システムの各種の構成要素と通信するための主処理ユニット及び中央ハブとして用いられてもよい。このようなプロセッサは、システムオンチップ（ＳｏＣ）として実装することができる。プロセッサ１５０１は、本明細書に説明される動作及びステップを実行するためのコマンドを実行するように構成される。また、システム１５００は、選択可能なグラフィックサブシステム１５０４と通信するグラフィックインターフェースをさらに含んでもよく、グラフィックサブシステム１５０４は、ディスプレイコントローラ、グラフィックプロセッサ及び／又は表示装置をさらに備えてもよい。
【００７７】
プロセッサ１５０１は、メモリ１５０３と通信してもよく、メモリ１５０３は、一実施形態において複数のメモリによって所定量のシステムメモリを提供する。メモリ１５０３は、ランダムアクセスメモリ（ＲＡＭ）、ダイナミックＲＡＭ（ＤＲＡＭ）、シンクロナスＤＲＡＭ（ＳＤＲＡＭ）、スタティックＲＡＭ（ＳＲＡＭ）又は他のタイプのメモリのような１つ又は複数の揮発性記憶装置（又はメモリ）を備えてもよい。メモリ１５０３は、プロセッサ１５０１又は任意の他の装置により実行されるコマンドシーケンスを含む情報を記憶できる。例えば、複数種のオペレーティングシステム、装置ドライバー、ファームウェア（例えば、基本入出力システム又はＢＩＯＳ）及び／又はアプリケーションの実行可能なコード及び／又はデータは、メモリ１５０３にロードされて、プロセッサ１５０１により実行されてもよい。オペレーティングシステムは、ロボットオペレーティングシステム（ＲＯＳ）、Ｍｉｃｒｏｓｏｆｔ（登録商標）会社からのＷｉｎｄｏｗｓ（登録商標）オペレーティングシステム、アップル会社からのＭａｃＯＳ（登録商標）／ｉＯＳ（登録商標）、Ｇｏｏｇｌｅ（登録商標）会社からのＡｎｄｒｏｉｄ（登録商標）、Ｌｉｎｕｘ（登録商標）、Ｕｎｉｘ又は他のリアルタイム又は組み込みオペレーティングシステムのような任意のタイプのオペレーティングシステムであってもよい。
【００７８】
システム１５００は、Ｉ／Ｏデバイス、例えば装置１５０５〜１５０８をさらに備えてもよく、ネットワークインターフェースデバイス１５０５、選択可能な入力デバイス１５０６及び他の選択可能なＩ／Ｏデバイス１５０７を備えてもよい。ネットワークインターフェースデバイス１５０５は、無線送受信機及び／又はネットワークインターフェースカード（ＮＩＣ）を備えてもよい。前記無線送受信機は、ＷｉＦｉ（登録商標）送受信機、赤外送受信機、ブルートゥース（登録商標）送受信機、ＷｉＭａｘ送受信機、無線セルラーホン送受信機、衛星送受信機（例えば、全地球測位システム（ＧＰＳ）送受信機）又は他の無線周波数（ＲＦ）送受信機又はそれらの組合せであってもよい。ＮＩＣは、イーサネット（登録商標）カードであってもよい。
【００７９】
入力デバイス１５０６は、マウス、タッチパッド、タッチスクリーン（それは表示装置１５０４と集積されてもよい）、ポインタデバイス（例えばスタイラス）及び／又はキーボード（例えば、物理キーボード、又はタッチスクリーンの一部として表示された仮想キーボード）を備えてもよい。例えば、入力デバイス１５０６は、タッチスクリーンに接続されるタッチスクリーンコントローラを含んでもよい。タッチスクリーン及びタッチスクリーンコントローラは、例えば複数種のタッチ感度技術（容量式、抵抗式、赤外式及び表面音波の技術を含むが、それらに限定されない）のいずれか、及びタッチスクリーンの１つ又は複数の接触点を決定するための他の近接センサアレイ又は他の素子を用いて、そのタッチ点及び移動又は断続を検出することができる。
【００８０】
Ｉ／Ｏデバイス１５０７は音声装置を備えてもよい。音声装置は、スピーカー及び／又はマイクロホンを含んでもよく、それにより音声認識、音声コピー、デジタル記録及び／又は電話機能のような音声サポートの機能を促進する。他のＩ／Ｏデバイス１５０７は、汎用シリアルバス（ＵＳＢ）ポート、パラレルポート、シリアルポート、プリンタ、ネットワークインターフェース、バスブリッジ（例えば、ＰＣＩ〜ＰＣＩブリッジ）、センサー（例えば、加速度計、ジャイロスコープ、磁力計、光センサー、コンパス、近接センサー等のような動きセンサー）又はそれらの組合せをさらに備えてもよい。装置１５０７は、結像処理サブシステム（例えば、カメラ）をさらに備えてもよく、前記結像処理サブシステムは、カメラ機能（例えば、写真及びビデオクリップの記録）を促進するための電荷カップリング装置（ＣＣＤ）又は相補型金属酸化物半導体（ＣＭＯＳ）光学センサーのような光学センサーを備えてもよい。あるセンサーは、センサーハブ（図示せず）によってインターコネクタ１５１０に接続されてもよく、キーボード又は温度センサーのような他の装置は、埋め込みコントローラ（図示せず）により制御されてもよく、これはシステム１５００の特定の設定又は設計により決められる。
【００８１】
データ、アプリケーション、１つ又は複数のオペレーティングシステム等のような情報の永久記憶を提供するために、大容量メモリ（図示せず）が、プロセッサ１５０１に接続されてもよい。様々な実施形態において、薄型化と軽量化のシステム設計を実現しかつシステムの応答能力を向上させるために、このような大容量メモリは、ソリッドステート装置（ＳＳＤ）によって実現されてもよい。なお、他の実施形態において、大容量メモリは、主にハードディスクドライブ（ＨＤＤ）で実現されてもよく、少量のＳＳＤ記憶量は、ＳＳＤキャッシュとして、停電イベント期間にコンテキスト状態及び他のこのような情報の不揮発性記憶を実現し、それによりシステム動作が再開する時に通電を速く実現してもよい。さらに、フラッシュデバイスは、例えばシリアルペリフェラルインターフェース（ＳＰＩ）によってプロセッサ１５０１に接続されてもよい。このようなフラッシュデバイスは、システムソフトウェアの不揮発性記憶に用いられてもよく、前記システムソフトウェアは、前記システムのＢＩＯＳ及び他のファームウェアを備えてもよい。
【００８２】
記憶装置１５０８は、任意の１種又は複数種の本明細書に記載の方法又は機能を実現する１つ又は複数のコマンドセット又はソフトウェア（例えば、モジュール、ユニット及び／又はロジック１５２８）が記憶されるコンピュータアクセス可能な記憶媒体１５０９（機械可読記憶媒体又はコンピュータ可読媒体とも呼ばれる）を備えてもよい。処理モジュール／ユニット／ロジック１５２８は、例えば、計画モジュール３０４、制御モジュール３０５、盗難感知モジュール３０８および／または機器学習エンジン１２２のような上記構成要素のいずれかを示してもよい。処理モジュール／ユニット／ロジック１５２８は、さらにデータ処理システム１５００、メモリ１５０３及びプロセッサ１５０１により実行される期間に、メモリ１５０３内及び／又はプロセッサ１５０１内に完全又は少なくとも部分的に存在してもよく、ここで、メモリ１５０３及びプロセッサ１５０１も、機器アクセス可能な記憶媒体を構成する。処理モジュール／ユニット／ロジック１５２８は、さらにネットワークによってネットワークインターフェースデバイス１５０５を経由して送受信されてもよい。
【００８３】
コンピュータ可読記憶媒体１５０９は、以上に説明したいくつかのソフトウェア機能の一部を永久的に記憶してもよい。コンピュータ可読記憶媒体１５０９は、例示的な実施形態において単一の媒体として示されたが、用語「コンピュータ可読記憶媒体」は、前記１つ又は複数のコマンドセットが記憶される単一の媒体又は複数の媒体（例えば、集中型又は分散型データベース、及び／又は関連するキャッシュ及びサーバー）を備えていることを理解すべきである。用語「コンピュータ可読記憶媒体」は、さらにコマンドセットを記憶又はコーディング可能な任意の媒体を備えることを理解すべきであり、前記コマンドセットは、機器により実行されかつ前記機器に本開示の任意の１種又は複数種の方法を実行させることができる。従って、用語「コンピュータ可読記憶媒体」は、ソリッドステートメモリ及び光学媒体と磁気媒体又は任意の他の非一時的機械可読媒体を備えるが、それらに限定されないことを理解すべきである。
【００８４】
本明細書に記載された処理モジュール／ユニット／ロジック１５２８、構成要素及び他の特徴は、ディスクリートハードウェア構成要素として実装されてもよく、又はハードウェア構成要素（例えばＡＳＩＣＳ、ＦＰＧＡ、ＤＳＰ又は類似の装置）の機能に統合されてもよい。さらに、処理モジュール／ユニット／ロジック１５２８は、ハードウェア装置内のファームウェア又は機能回路として実装されてもよい。また、処理モジュール／ユニット／ロジック１５２８は、ハードウェア装置及びソフトウェア構成要素の任意の組合せで実装されてもよい。
【００８５】
なお、システム１５００は、データ処理システムの各種の構成要素を有することを示しているが、構成要素の相互接続のいかなる特定のアーキテクチャー又は方式を示すものではないことに注意すべきであり、それはこのような詳細が本開示の実施形態に密接な関係がないためである。また、より少ない構成要素又はより多くの構成要素を有するネットワークコンピュータ、ハンドヘルドコンピュータ、携帯電話、サーバー及び／又は他のデータ処理システムは、本開示の実施形態と共に使用されてもよい。
【００８６】
上記詳細な説明の一部は、コンピュータメモリにおけるデータビットに対する演算のアルゴリズム及び記号表現で示される。これらのアルゴリズムの説明及び表現は、データ処理技術分野における当業者が、自己の仕事の内容を所属分野の他の当業者に最も効果的に伝えるために使用する方法である。ここで、アルゴリズムは、通常、所望の結果につながる自己矛盾のない動作シーケンス（ｓｅｑｕｅｎｃｅ  ｏｆ  ｏｐｅｒａｔｉｏｎｓ）と考えられる。これらの動作とは、物理量に対して物理的動作を必要とする動作を指す。
【００８７】
ただし、これらの全ての用語及び類似の用語は、いずれも適切な物理量に関連付けられ、かつこれらの量の記述のための便宜上のものにすぎないことに注意すべきである。特に断らない限り、本願の全体にわたって用語（例えば、添付の特許請求の範囲に記載された用語）による説明は、コンピュータシステム又は類似の電子計算装置の動作及び処理に関するものであり、前記コンピュータシステム又は電子計算装置は、コンピュータシステムのレジスタ及びメモリにおける物理（例えば、電子）量として示されたデータを制御し、かつ前記データを、コンピュータシステムメモリ又はレジスタ又は他のこの種の情報記憶装置、伝送又は表示装置内において類似に物理量として示された他のデータに変換することを理解すべきである。
【００８８】
本開示の実施形態は、さらに本明細書における動作を実行するためのコンピュータプログラムに関する。このようなコンピュータプログラムは、非揮発性のコンピュータ可読媒体に記憶（格納）される。機器可読媒体は、機器（例えば、コンピュータ）可読な形態で情報を記憶する任意の機構を備える。例えば、機器可読（例えば、コンピュータ可読）媒体は、機器（例えば、コンピュータ）可読記憶媒体（例えば、読み出し専用メモリ（「ＲＯＭ」）、ランダムアクセスメモリ（「ＲＡＭ」）、磁気ディスク記憶媒体、光記憶媒体、フラッシュメモリメモリ）を備える。
【００８９】
上記図面に示される手順又は方法は、ハードウェア（例えば、回路、専用ロジック等）、ソフトウェア（例えば、非揮発性のコンピュータ可読媒体に具現化される）、又は両方の組合せを含む処理ロジックにより実行されてもよい。前記手順又は方法は、本明細書において特定の順序に応じて説明されるが、説明された動作の一部は、異なる順序に応じて実行されてもよい。また、いくつかの動作は、順番ではなく並行に実行されてもよい。
【００９０】
本開示の実施形態は、いずれかの特定のプログラミング言語を参照して説明されていないが、複数種のプログラミング言語で本明細書に記載された本開示の実施形態の教示を実現できることを理解すべきである。
【００９１】
以上の明細書において、本開示の具体的な例示的な実施形態を参照しながらその実施形態を説明した。添付の特許請求の範囲に記載された本開示のより広い趣旨及び範囲を逸脱しない限り、様々な変形が可能であることは明らかである。従って、限定的なものではなく例示的なものとして本明細書及び図面を理解すべきである。
【国際調査報告】
2021530039.tif 000010
2021530039.tif 000011